(57)【要約】      （修正有）【課題】セルラ・インターネット・オブ・シングス（ＩｏＴ）システムにおいて、ダウンリンクデータ伝送に先立つチャネルフィードバックを可能にするための方法および装置を提供する。【解決手段】ＵＥは、基地局からメッセージを受信する。メッセージは、ダウンリンク伝送のための第１の専用リソースを示す。第１の専用リソースは、基地局からのスケジュールされたダウンリンク伝送に関連づけられる。ＵＥは、メッセージに示されたダウンリンク伝送のための第１の専用リソースに基づいて、アップリンク伝送のための第２の専用リソースを決定する。アップリンク伝送のための第２の専用リソースは、スケジュールされたダウンリンク伝送に関連づけられる。ＵＥは、スケジュールされたダウンリンク伝送を送信するために基地局によって使用されるべき情報メッセージを第２の専用リソースにおいて送信するかどうかを決定する。【選択図】図３
2019057935.tif 000002
【特許請求の範囲】
【請求項１】
ユーザ機器（ＵＥ）によるワイヤレス通信の方法であって、
基地局からメッセージを受信することと、ここにおいて、前記メッセージは、ダウンリンク伝送のための第１の専用リソースを示し、前記第１の専用リソースは、前記基地局からのスケジュールされたダウンリンク伝送に関連づけられる、
前記メッセージに示されるダウンリンク伝送のための前記第１の専用リソースに基づいて、アップリンク伝送のための第２の専用リソースを決定することと、ここにおいて、アップリンク伝送のための前記第２の専用リソースは、前記スケジュールされたダウンリンク伝送に関連づけられる、
前記スケジュールされたダウンリンク伝送を送信するために前記基地局によって使用されるべき情報メッセージを前記第２の専用リソースにおいて送信するか否かを決定することと、
を備える方法。
【請求項２】
前記情報メッセージを送信するか否かを決定することは、
前記基地局が前記メッセージに関連する前記スケジュールされたダウンリンク伝送を送信する前に前記ＵＥと前記基地局との間のチャネル状態を測定することであって、前記測定は、ダウンリンク伝送のための前記第１の専用リソースを示す前記メッセージの前記受信に基づいてトリガされる、測定することと、
前記基地局によって使用される現在の変調および符号化方式（ＭＣＳ）をデコード可能であると前記ＵＥが予想し、
前記基地局によって使用される送信電力が閾値を超えて減少させられる場合に前記基地局によって使用される前記現在のＭＣＳをデコード可能であると前記ＵＥが予想せず、
より大きなＭＣＳをデコードすると前記ＵＥが予想しない場合、
前記基地局への前記情報メッセージの送信を控えることと、
を備える、請求項１に記載の方法。
【請求項３】
前記基地局が前記スケジュールされたダウンリンク伝送を送信する前に前記第２の専用リソースにて前記基地局へと前記情報メッセージを送信すること、
をさらに備える、請求項１に記載の方法。
【請求項４】
前記情報メッセージは、送信電力または送信電力補正係数を含み、前記送信電力または前記送信電力補正係数は、前記ＵＥと前記基地局との間のチャネル状態に基づく、請求項３に記載の方法。
【請求項５】
前記情報メッセージは、変調および符号化方式（ＭＣＳ）インデックスまたはＭＣＳインデックス補正係数を含み、前記ＭＣＳインデックスまたは前記ＭＣＳインデックス補正係数は、前記ＵＥと前記基地局との間のチャネル状態に基づく、請求項３に記載の方法。
【請求項６】
前記情報メッセージは、チャネル品質インデックス（ＣＱＩ）または既知のＣＱＩに関するＣＱＩ補正係数を含むチャネル測定報告を含み、前記ＣＱＩまたは前記ＣＱＩ補正係数は、前記ＵＥと前記基地局との間のチャネル状態に基づく、請求項３に記載の方法。
【請求項７】
前記情報メッセージは、基準信号を含む、請求項３に記載の方法。
【請求項８】
前記基地局から前記スケジュールされたダウンリンク伝送を受信すること、をさらに備え、ここにおいて、前記スケジュールされたダウンリンク伝送は、前記第２の専用リソースを使用して前記基地局へと送信された前記情報メッセージに基づいて受信され、あるいは以前に送信された情報メッセージに基づいて受信される、請求項３に記載の方法。
【請求項９】
前記情報メッセージは、非周期的に送信される、請求項３に記載の方法。
【請求項１０】
ワイヤレス通信のための装置であって、前記装置はユーザ機器（ＵＥ）であり、
メモリと、
前記メモリに結合された少なくとも１つのプロセッサであって、
基地局からメッセージを受信することと、ここにおいて、前記メッセージは、ダウンリンク伝送のための第１の専用リソースを示し、前記第１の専用リソースは、前記基地局からのスケジュールされたダウンリンク伝送に関連づけられる、
前記メッセージに示されるダウンリンク伝送のための前記第１の専用リソースに基づいて、アップリンク伝送のための第２の専用リソースを決定することと、ここにおいて、アップリンク伝送のための前記第２の専用リソースは、前記スケジュールされたダウンリンク伝送に関連づけられる、
前記スケジュールされたダウンリンク伝送を送信するために前記基地局によって使用されるべき情報メッセージを前記第２の専用リソースにおいて送信するか否かを決定することと、
を行うように構成された少なくとも１つのプロセッサと、
を備える装置。
【請求項１１】
前記少なくとも１つのプロセッサは、前記情報メッセージを送信するか否かを、
前記基地局が前記メッセージに関連する前記スケジュールされたダウンリンク伝送を送信する前に前記ＵＥと前記基地局との間のチャネル状態を測定することであって、前記測定は、ダウンリンク伝送のための前記第１の専用リソースを示す前記メッセージの前記受信に基づいてトリガされる、測定することと、
前記基地局によって使用される現在の変調および符号化方式（ＭＣＳ）をデコード可能であると前記ＵＥが予想し、
前記基地局によって使用される送信電力が閾値を超えて減少させられる場合に前記基地局によって使用される前記現在のＭＣＳをデコード可能であると前記ＵＥが予想せず、    より大きなＭＣＳをデコードすると前記ＵＥが予想しない場合に、
前記基地局への前記情報メッセージの送信を控えることと、
によって決定するように構成されている、請求項１０に記載の装置。
【請求項１２】
前記少なくとも１つのプロセッサは、前記基地局が前記スケジュールされたダウンリンク伝送を送信する前に前記第２の専用リソースにて前記基地局へと前記情報メッセージを送信するようにさらに構成される、請求項１０に記載の装置。
【請求項１３】
前記情報メッセージは、送信電力または送信電力補正係数を含み、前記送信電力または前記送信電力補正係数は、前記ＵＥと前記基地局との間のチャネル状態に基づく、請求項１２に記載の装置。
【請求項１４】
前記情報メッセージは、変調および符号化方式（ＭＣＳ）インデックスまたはＭＣＳインデックス補正係数を含み、前記ＭＣＳインデックスまたは前記ＭＣＳインデックス補正係数は、前記ＵＥと前記基地局との間のチャネル状態に基づく、請求項１２に記載の装置。
【請求項１５】
前記情報メッセージは、チャネル品質インデックス（ＣＱＩ）または既知のＣＱＩに関するＣＱＩ補正係数を含むチャネル測定報告を含み、前記ＣＱＩまたは前記ＣＱＩ補正係数は、前記ＵＥと前記基地局との間のチャネル状態に基づく、請求項１２に記載の装置。
【請求項１６】
前記情報メッセージは、基準信号を含む、請求項１２に記載の装置。
【請求項１７】
前記少なくとも１つのプロセッサは、前記基地局から前記スケジュールされたダウンリンク伝送を受信するようにさらに構成され、ここにおいて、前記スケジュールされたダウンリンク伝送は、前記第２の専用リソースを使用して前記基地局へと送信された前記情報メッセージに基づいて受信され、あるいは以前に送信された情報メッセージに基づいて受信される、請求項１２に記載の装置。
【請求項１８】
前記情報メッセージは、非周期的に送信される、請求項１２に記載の装置。
【請求項１９】
基地局によるワイヤレス通信の方法であって、
ユーザ機器（ＵＥ）へとメッセージを送信することと、ここにおいて、前記メッセージは、ダウンリンク伝送のための第１の専用リソースを示し、前記第１の専用リソースは、前記ＵＥへのスケジュールされたダウンリンク伝送に関連づけられる、
ダウンリンク伝送のための前記第１の専用リソースに基づくアップリンク伝送のための第２の専用リソースにおいて前記ＵＥから情報メッセージを受信することと、ここにおいて、前記情報メッセージは、前記情報メッセージの受信よりも前にスケジュールされた前記スケジュールされたダウンリンク伝送の送信に使用される、
前記ＵＥからの前記情報メッセージの受信後に前記スケジュールされたダウンリンク伝送を送信することと、ここにおいて、前記送信することは、前記受信された情報メッセージに基づく、
を備える方法。
【請求項２０】
前記情報メッセージは、絶対値または補正係数を含み、ここにおいて、前記絶対値または前記補正係数は、チャネル品質インデックス（ＣＱＩ）、送信電力、または変調および符号化方式（ＭＣＳ）インデックスのうちの１つに関連づけられる、請求項１９に記載の方法。
【請求項２１】
前記送信することは、前記受信された情報メッセージに基づいて前記スケジュールされたダウンリンク伝送のための送信電力を調整することを備える、請求項１９に記載の方法。
【請求項２２】
前記送信することは、前記受信された情報メッセージに基づいて前記スケジュールされたダウンリンク伝送のための変調および符号化方式（ＭＣＳ）を選択することを備える、請求項１９に記載の方法。
【請求項２３】
前記情報メッセージは、前記ＵＥから非周期的に受信される、請求項１９に記載の方法。
【請求項２４】
ダウンリンク伝送のための前記第１の専用リソースを示す前記メッセージは、前記ＵＥに対するフィードバックの要求であり、ここにおいて、前記フィードバックは、前記フィードバックの要求の送信よりも前にスケジュールされた前記スケジュールされたダウンリンク伝送の送信パラメータを調整するために使用される、請求項１９に記載の方法。
【請求項２５】
ワイヤレス通信のための装置であって、
メモリと、
前記メモリに結合された少なくとも１つのプロセッサであって、
ユーザ機器（ＵＥ）へとメッセージを送信することと、ここにおいて、前記メッセージは、ダウンリンク伝送のための第１の専用リソースを示し、前記第１の専用リソースは、前記ＵＥへのスケジュールされたダウンリンク伝送に関連づけられる、
ダウンリンク伝送のための前記第１の専用リソースに基づくアップリンク伝送のための第２の専用リソースにおいて前記ＵＥから情報メッセージを受信することと、ここにおいて、前記情報メッセージは、前記情報メッセージの受信よりも前にスケジュールされた前記スケジュールされたダウンリンク伝送の送信に使用される、
前記ＵＥからの前記情報メッセージの受信後に前記スケジュールされたダウンリンク伝送を送信することと、ここにおいて、前記送信することは、前記受信された情報メッセージに基づく、
を行うように構成された少なくとも１つのプロセッサと、
を備える装置。
【請求項２６】
前記情報メッセージは、絶対値または補正係数を含み、ここにおいて、前記絶対値または前記補正係数は、チャネル品質インデックス（ＣＱＩ）、送信電力、または変調および符号化方式（ＭＣＳ）インデックスのうちの１つに関連づけられる、請求項２５に記載の装置。
【請求項２７】
前記少なくとも１つのプロセッサは、前記受信された情報メッセージに基づいて前記スケジュールされたダウンリンク伝送のための送信電力を調整することによって送信を行うように構成される、請求項２５に記載の装置。
【請求項２８】
前記少なくとも１つのプロセッサは、前記受信された情報メッセージに基づいて前記スケジュールされたダウンリンク伝送のための変調および符号化方式（ＭＣＳ）を選択することによって送信を行うように構成される、請求項２５に記載の装置。
【請求項２９】
前記情報メッセージは、前記ＵＥから非周期的に受信される、請求項２５に記載の装置。
【請求項３０】
ダウンリンク伝送のための前記第１の専用リソースを示す前記メッセージは、前記ＵＥに対するフィードバックの要求であり、ここにおいて、前記フィードバックは、前記フィードバックの要求の送信よりも前にスケジュールされた前記スケジュールされたダウンリンク伝送の送信パラメータを調整するために使用される、請求項２５に記載の装置。
【発明の詳細な説明】
【技術分野】
【０００１】
関連出願の相互参照
[0001]本出願は、２０１５年２月２５日に出願された「CHANNEL FEEDBACK PRECEDING DOWNLINK DATA TRANSMISSIONS IN CELLULAR IOT SYSTEMS」という名称の米国特許仮出願第６２／１２０，８６３号および２０１６年１月２６日に出願された「CHANNEL FEEDBACK PRECEDING DOWNLINK DATA TRANSMISSIONS IN CELLULAR IOT SYSTEMS」という名称の米国特許出願第１５／００７，０９４号の利益を主張し、これらの出願は、この全体が本明細書に明示的に援用される。
【０００２】
[0002]本開示は、広くには、通信システムに関し、より詳細には、セルラ・インターネット・オブ・シングス（ＩｏＴ）システムにおけるダウンリンクデータ伝送に先立つチャネルフィードバックに関する。
【背景技術】
【０００３】
[0003]ワイヤレス通信システムが、電話、映像、データ、メッセージング、および放送、などの種々の電気通信サービスを提供するために広く展開されている。典型的なワイヤレス通信システムは、利用可能なシステムリソース（例えば、帯域幅、送信電力）を分配することによって多数のユーザとの通信をサポートすることができる多重アクセス技術を採用し得る。このような多重アクセス技術の例は、符号分割多重アクセス（ＣＤＭＡ）システム、時分割多重アクセス（ＴＤＭＡ）システム、周波数分割多重アクセス（ＦＤＭＡ）システム、直交周波数分割多重アクセス（ＯＦＤＭＡ）システム、単一キャリア周波数分割多重アクセス（ＳＣ−ＦＤＭＡ）システム、および時分割同期符号分割多重アクセス（ＴＤ−ＳＣＤＭＡ）システムを含む。
【０００４】
[0004]これらの多元接続技術は、地方、国家、地域、ならびに世界のレベルにおいて様々なワイヤレスデバイスの通信を可能にする共通のプロトコルを提供するために種々の電気通信規格において採用されている。一例としての電気通信規格が、ロング・ターム・エボリューション（ＬＴＥ（登録商標））である。ＬＴＥは、第３世代パートナーシップ計画（３ＧＰＰ（登録商標））によって公表されたユニバーサル移動体通信システム（ＵＭＴＳ）モバイル規格の一連の改良である。ＬＴＥは、ダウンリンク（ＤＬ）におけるＯＦＤＭＡ、アップリンク（ＵＬ）におけるＳＣ−ＦＤＭＡ、および多入力多出力（ＭＩＭＯ）アンテナ技術を使用し、スペクトル効率の改善、コストの削減、サービスの改善、新たなスペクトルの利用、および他のオープンスタンダードとのより良好な統合によって、モバイル・ブロードバンド・インターネット・アクセスをより良好にサポートするように設計されている。しかしながら、モバイル・ブロードバンド・アクセスへの需要が増加を続けているがゆえに、ＬＴＥ技術のさらなる改善について、ニーズが存在している。好ましくは、これらの改善は、他の多重アクセス技術ならびにこれらの技術を採用する電気通信規格にも適用可能でなければならない。
【発明の概要】
【０００５】
[0005]本開示の一態様において、方法、コンピュータ読取可能媒体、および装置が提供される。装置は、ユーザ機器（ＵＥ）であり得る。装置は、基地局からメッセージを受信する。メッセージは、ダウンリンク伝送のための第１の専用リソースを示し得、第１の専用リソースは、基地局からのスケジュールされたダウンリンク伝送に関連づけられ得る。装置は、メッセージに示されるダウンリンク伝送のための第１の専用リソースに基づいて、アップリンク伝送のための第２の専用リソースを決定し得、アップリンク伝送のための第２の専用リソースは、スケジュールされたダウンリンク伝送に関連づけられ得る。装置は、スケジュールされたダウンリンク伝送を送信するために基地局によって使用されるべき情報メッセージを第２の専用リソースにおいて送信するかどうかを決定し得る。
【０００６】
[0006]本開示の一態様は、ワイヤレス通信のための装置を提供する。この装置は、基地局からメッセージを受信するための手段を含み得る。メッセージは、ダウンリンク伝送のための第１の専用リソースを示し得、第１の専用リソースは、基地局からのスケジュールされたダウンリンク伝送に関連づけられ得る。装置は、メッセージに示されるダウンリンク伝送のための第１の専用リソースに基づいて、アップリンク伝送のための第２の専用リソースを決定するための手段を含み得る。アップリンク伝送のための第２の専用リソースは、スケジュールされたダウンリンク伝送に関連づけられ得る。装置は、スケジュールされたダウンリンク伝送を送信するために基地局によって使用されるべき情報メッセージを第２の専用リソースにおいて送信するかどうかを決定するための手段を含み得る。１つの構成では、情報メッセージを送信するかどうかを決定するための手段は、基地局がメッセージに関連するスケジュールされたダウンリンク伝送を送信する前に、装置と基地局との間のチャネル状態を測定するように構成され得、測定は、ダウンリンク伝送のための第１の専用リソースを示すメッセージの受信に基づいてトリガされ得る。この構成において、送信するかどうかを決定するための手段は、基地局によって使用される現在の変調および符号化方式（ＭＣＳ）をデコード可能であると装置が予想し、基地局によって使用される送信電力が閾値を超えて減らされるならば基地局によって使用される現在のＭＣＳをデコード可能であると装置が予想せず、より大きなＭＣＳをデコードすると装置が予想しない場合に、基地局への情報メッセージの送信を控えるようにさらに構成され得る。別の構成において、装置は、基地局がスケジュールされたダウンリンク伝送を送信する前に、情報メッセージを第２の専用リソースにおいて基地局に送信するように構成され得る。別の態様では、情報メッセージは、送信電力または送信電力補正係数を含み得、送信電力または送信電力補正係数は、装置と基地局との間のチャネル状態に基づき得る。別の態様では、情報メッセージは、ＭＣＳインデックスまたはＭＣＳインデックス補正係数を含み得、ＭＣＳインデックスまたはＭＣＳインデックス補正係数は、装置と基地局との間のチャネル状態に基づき得る。別の態様では、情報メッセージは、チャネル品質インデックス（ＣＱＩ）または既知のＣＱＩに関するＣＱＩ補正係数を含むチャネル測定報告を含み得る。ＣＱＩまたはＣＱＩ補正係数は、装置と基地局との間のチャネル状態に基づき得る。別の態様では、情報メッセージは、基準信号を含み得る。別の構成では、装置は、基地局からスケジュールされたダウンリンク伝送を受信するための手段を含み得る。スケジュールされたダウンリンク伝送は、第２の専用リソースを使用して基地局へと送信された情報メッセージに基づいて受信され得、あるいは以前に送信された情報メッセージに基づいて受信され得る。別の態様では、情報メッセージは、非周期的に送信され得る。
【０００７】
[0007]本開示の一態様は、コンピュータ実行可能コードを格納するＵＥのコンピュータ読取可能媒体を提供する。コンピュータ読取可能媒体は、基地局からメッセージを受信するためのコードを含み得る。メッセージは、ダウンリンク伝送のための第１の専用リソースを示し得、第１の専用リソースは、基地局からのスケジュールされたダウンリンク伝送に関連づけられ得る。コンピュータ読取可能媒体は、メッセージに示されるダウンリンク伝送のための第１の専用リソースに基づいて、アップリンク伝送のための第２の専用リソースを決定するためのコードを含み得、アップリンク伝送のための第２の専用リソースは、スケジュールされたダウンリンク伝送に関連づけられ得る。コンピュータ読取可能媒体は、スケジュールされたダウンリンク伝送を送信するために基地局によって使用されるべき情報メッセージを第２の専用リソースにおいて送信するかどうかを決定するためのコードを含み得る。１つの構成では、情報メッセージを送信するかどうかを決定するためのコードは、基地局がメッセージに関連するスケジュールされたダウンリンク伝送を送信する前に、ＵＥと基地局との間のチャネル状態を測定するためのコードを含み得る。測定は、ダウンリンク伝送のための第１の専用リソースを示すメッセージの受信に基づいてトリガされ得る。この構成において、送信するかどうかを決定するためのコードは、基地局によって使用される現在のＭＣＳをデコード可能であるとＵＥが予想し、基地局によって使用される送信電力が閾値を超えて減らされたならば基地局によって使用される現在のＭＣＳをデコード可能であるとＵＥが予想せず、より大きなＭＣＳをデコードするとＵＥが予想しない場合に、基地局への情報メッセージの送信を控えるためのコードをさらに含み得る。別の構成において、コンピュータ読取可能媒体は、基地局がスケジュールされたダウンリンク伝送を送信する前に、情報メッセージを第２の専用リソースにおいて基地局に送信するためのコードを含み得る。別の態様では、情報メッセージは、送信電力または送信電力補正係数を含み得る。送信電力または送信電力補正係数は、ＵＥと基地局との間のチャネル状態に基づき得る。別の態様では、情報メッセージは、ＭＣＳインデックスまたはＭＣＳインデックス補正係数を含み得る。ＭＣＳインデックスまたはＭＣＳインデックス補正係数は、ＵＥと基地局との間のチャネル状態に基づき得る。別の態様では、情報メッセージは、ＣＱＩまたは既知のＣＱＩに関するＣＱＩ補正係数を含むチャネル測定レポートを含み得る。ＣＱＩまたはＣＱＩ補正係数は、ＵＥと基地局との間のチャネル状態に基づき得る。別の態様では、情報メッセージは、基準信号を含み得る。別の構成では、コンピュータ読取可能媒体は、基地局からのスケジュールされたダウンリンク伝送を受信するためのコードを含み得る。スケジュールされたダウンリンク伝送は、第２の専用リソースを使用して基地局へと送信された情報メッセージに基づいて受信され得、あるいは以前に送信された情報メッセージに基づいて受信される。別の態様では、情報メッセージは、非周期的に送信され得る。
【０００８】
[0008]本開示の別の態様において、方法、コンピュータ読取可能媒体、および装置が提供される。装置は、基地局であり得る。装置は、メッセージをＵＥに送信し得る。メッセージは、ダウンリンク伝送のための第１の専用リソースを示し得、第１の専用リソースは、ＵＥへのスケジュールされたダウンリンク伝送に関連づけられ得る。装置は、ダウンリンク伝送のための第１の専用リソースに基づくアップリンク伝送のための第２の専用リソースにおいてＵＥから情報メッセージを受信し得る。情報メッセージは、情報メッセージが受信される前にスケジュールされたスケジュールされたダウンリンク伝送を送信するために使用され得る。装置は、ＵＥから情報メッセージを受信した後に、スケジュールされたダウンリンク伝送を送信し得、送信は、受信された情報メッセージに基づき得る。
【０００９】
[0009]本開示の別の態様は、ワイヤレス通信のための装置を提供する。この装置は、ＵＥにメッセージを送信するための手段を含み得る。メッセージは、ダウンリンク伝送のための第１の専用リソースを示し得、第１の専用リソースは、ＵＥへのスケジュールされたダウンリンク伝送に関連づけられ得る。装置は、ダウンリンク伝送のための第１の専用リソースに基づくアップリンク伝送のための第２の専用リソースにおいてＵＥから情報メッセージを受信するための手段を含み得る。情報メッセージは、情報メッセージが受信される前にスケジュールされたスケジュールされたダウンリンク伝送を送信するために使用され得る。装置は、ＵＥからの情報メッセージを受信した後に、スケジュールされたダウンリンク伝送を送信するための手段を含み得る。送信は、受信した情報メッセージに基づき得る。一態様では、情報メッセージは、絶対値または補正係数を含み得、ここにおいて、絶対値または補正係数は、ＣＱＩ、送信電力、またはＭＣＳインデックスのうちの１つに関連づけられる。一構成では、送信するための手段は、受信された情報メッセージに基づいて、スケジュールされたダウンリンク伝送のための送信電力を調整するように構成され得る。別の構成では、送信するための手段は、受信された情報メッセージに基づいて、スケジュールされたダウンリンク伝送のためのＭＣＳを選択するように構成され得る。別の態様では、情報メッセージは、非周期的にＵＥから受信され得る。別の態様では、ダウンリンク伝送のための第１の専用リソースを示すメッセージは、ＵＥへのフィードバックの要求であり得、ここにおいて、フィードバックは、フィードバックの要求の送信よりも前にスケジュールされたスケジュールされたダウンリンク伝送の送信パラメータを調整するために使用される。
【００１０】
[0010]本開示の別の態様は、コンピュータ実行可能コードを格納する基地局のコンピュータ読取可能媒体を提供する。コンピュータ読取可能媒体は、ＵＥにメッセージを送信するためのコードを含み得る。メッセージは、ダウンリンク伝送のための第１の専用リソースを示し得、第１の専用リソースは、ＵＥへのスケジュールされたダウンリンク伝送に関連づけられ得る。コンピュータ読取可能媒体は、ダウンリンク伝送のための第１の専用リソースに基づくアップリンク伝送のための第２の専用リソースにおいてＵＥから情報メッセージを受信するためのコードを含み得る。情報メッセージは、情報メッセージが受信される前にスケジュールされたスケジュールされたダウンリンク伝送を送信するために使用され得る。コンピュータ読取可能媒体は、ＵＥから情報メッセージを受信した後に、スケジュールされたダウンリンク伝送を送信するためのコードを含み得る。送信は、受信した情報メッセージに基づき得る。一態様において、情報メッセージは、絶対値または補正係数を含み得る。絶対値または補正係数は、ＣＱＩ、送信電力、またはＭＣＳインデックスのうちの１つに関連づけられ得る。別の構成では、送信するためのコードは、受信された情報メッセージに基づいて、スケジュールされたダウンリンク伝送のための送信電力を調整するためのコードを含み得る。別の構成では、送信するためのコードは、受信された情報メッセージに基づいて、スケジュールされたダウンリンク伝送のためのＭＣＳを選択するためのコードを含み得る。別の態様では、情報メッセージは、非周期的にＵＥから受信され得る。別の態様では、ダウンリンク伝送のための第１の専用リソースを示すメッセージは、ＵＥへのフィードバックの要求であり得、フィードバックは、フィードバックの要求の送信よりも前にスケジュールされたスケジュールされたダウンリンク伝送の送信パラメータを調整するために使用され得る。
【図面の簡単な説明】
【００１１】
【図１】[0011]図１は、アクセスネットワークの例を示す図である。
【図２Ａ】[0012]図２Ａは、ＵＥがチャネル測定情報を基地局に周期的に提供する方法を示す図である。
【図２Ｂ】[0013]図２Ｂは、各々のスケジュールされたダウンリンク伝送の前に、ＵＥが専用のリソースについての情報を基地局に提供する典型的な方法を示す図である。
【図３】[0014]図３は、ワイヤレス通信の方法のフロー図である。
【図４】[0015]図４は、ワイヤレス通信の方法のフロー図である。
【図５】[0016]図５は、典型的な装置における種々のモジュール／手段／コンポーネント間のデータの流れを説明する概念的なデータフロー図である。
【図６】[0017]図６は、処理システムを用いる装置のハードウェアの実装の例を示す図である。
【図７】[0018]図７は、典型的な装置における種々のモジュール／手段／コンポーネント間のデータの流れを説明する概念的なデータフロー図である。
【図８】[0019]図８は、処理システムを用いる装置のハードウェアの実装の例を示す図である。
【発明を実施するための形態】
【００１２】
[0020]添付の図面に関連して以下で述べられる詳細な説明は、種々の構成の説明として意図されており、本明細書に記載の考え方が実現され得る構成を表そうとしたものではない。詳細な説明は、種々の考え方の完全な理解をもたらす目的で、具体的な詳細を含む。しかしながら、これらの考え方が、これらの具体的な詳細を備えることなく実施され得ることは、当業者にとって明らかであろう。いくつかの場合においては、このような考え方を不明瞭にしてしまわないよう、周知の構造およびコンポーネントは、ブロック図の形態で示されている。
【００１３】
[0021]次に、電気通信システムのいくつかの態様が、種々の装置および方法に関して提示される。これらの装置および方法は、種々のブロック、モジュール、コンポーネント、回路、工程、処理、アルゴリズム、など（まとめて「構成要素」と称される）によって、以下の詳細な説明において説明され、添付の図面に示される。これらの構成要素は、電子ハードウェア、コンピュータソフトウェア、またはこれらの任意の組み合わせを使用して実現され得る。このような構成要素がハードウェアとして実現されるか、あるいはソフトウェアとして実現されるかは、個々の用途およびシステム全体に課される設計上の制約事項に依存する。
【００１４】
[0022]例えば、構成要素、または構成要素のいずれかの部分、あるいは構成要素の何らかの組み合わせを、１つ以上のプロセッサを含む「処理システム」で実現され得る。プロセッサの例は、マイクロプロセッサ、マイクロコントローラ、デジタル信号プロセッサ（ＤＳＰ）、フィールド・プログラマブル・ゲート・アレイ（ＦＰＧＡ）、プログラマブル論理素子（ＰＬＤ）、ステートマシン、ゲート論理回路、ディスクリートハードウェア回路、および本開示の各所に記載の種々の機能を実行するように構成された他の適切なハードウェアを含む。処理システム内の１つ以上のプロセッサは、ソフトウェアを実行し得る。ソフトウェアは、ソフトウェア、ファームウェア、ミドルウェア、マイクロコード、またはハードウェア記述言語のいずれとして言及されても、あるいは他の方法で言及されても、インストラクション、インストラクションセット、コード、コード部分、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、機能、などを意味するものと広く解釈されるべきである。
【００１５】
[0023]したがって、１つ以上の典型的な実施形態において、上述の機能は、ハードウェア、ソフトウェア、ファームウェア、またはこれらの任意の組み合わせにて実現され得る。ソフトウェアにて実現される場合、これらの機能は、コンピュータ読取可能な媒体上に１つ以上のインストラクションまたはコードとして保存またはエンコードされ得る。コンピュータ読取可能な媒体は、コンピュータ記憶媒体を含む。記憶媒体は、コンピュータによってアクセスされ得る任意の利用可能な媒体であり得る。これらに限られるわけではないが、例として、このようなコンピュータ読取可能媒体は、ランダムアクセスメモリ（ＲＡＭ）、読み出し専用メモリ（ＲＯＭ）、電気的に消去することができるプログラマブルＲＯＭ（ＥＥＰＲＯＭ（登録商標））、コンパクトディスクＲＯＭ（ＣＤ−ＲＯＭ）または他の光ディスク記憶装置、磁気ディスク記憶装置または他の磁気記憶装置、上述の種類のコンピュータ読取可能媒体の組み合わせ、あるいはコンピュータによるアクセスが可能なインストラクションまたはデータ構造の形態でコンピュータ実行可能コードを記憶するために使用することができる任意の他の媒体を備えることができる。
【００１６】
[0024]図１は、アクセスネットワーク１００の例を示す図である。この例において、アクセスネットワーク１００は、いくつかのセルラ領域（セル）１０２に分割されている。１つ以上のより低い電力クラス（ｌｏｗｅｒ  ｐｏｗｅｒ  ｃｌａｓｓ）のエボルブドＮｏｄｅ  Ｂ（ｅＮＢ）１０８は、セル１０２のうちの１つ以上に重なるセルラ領域１１０を有し得る。より低い電力クラスのｅＮＢ１０８は、フェムトセル（例えば、ホームｅＮＢ（ＨｅＮＢ））、ピコセル、マイクロセル、またはリモート無線ヘッド（ＲＲＨ）であり得る。マクロｅＮＢ１０４の各々が、それぞれのセル１０２に割り当てられ、セル１０２内のすべてのＵＥ１０６のためにエボルブド・パケット・コアへのアクセスポイントを提供するように構成される。アクセスネットワーク１００のこの例では、中央集中コントローラが存在しないが、代案の構成においては、中央集中コントローラが使用され得る。ｅＮＢ１０４は、無線ベアラー制御、アドミッション制御、モビリティ制御、スケジューリング、セキュリティ、およびサービングゲートウェイへの接続を含むすべての無線関連機能を担当する。ｅＮＢは、１つまたは複数（例えば、３つ）のセル（セクタとも称される）をサポートし得る。用語「セル」は、ｅＮＢおよび／または特定のカバレッジ領域を担当するｅＮＢサブシステムの最小のカバレッジ領域を指すことができる。さらに、用語「ｅＮＢ」、「基地局」、および「セル」は、本明細書において交換可能に使用され得る。
【００１７】
[0025]アクセスネットワーク１００によって用いられる変調および多重アクセスのスキームは、展開されている特定の電気通信規格に依存して様々であり得る。ＬＴＥアプリケーションにおいては、ＤＬにおいてＯＦＤＭが使用され、ＵＬにおいてＳＣ−ＦＤＭＡが使用され、周波数分割複信（ＦＤＤ）および時分割複信（ＴＤＤ）の両方がサポートされる。当業者であれば以下の詳細な説明から容易に理解できるとおり、本明細書に提示される種々の考え方は、ＬＴＥアプリケーションによく適している。しかしながら、これらの考え方は、他のワイヤレス広域ネットワーク（ＷＷＡＮ）において他の変調および多重アクセス技術を使用する他の電気通信規格に容易に拡張され得る。例として、これらの考え方は、エボリューション・データ・オプティマイズド（ＥＶ−ＤＯ）またはウルトラ・モバイル・ブロードバンド（ＵＭＢ）に拡張され得る。ＥＶ−ＤＯおよびＵＭＢは、第３世代パートナーシッププロジェクト２（３ＧＰＰ２）によってＣＤＭＡ２０００ファミリの規格の一部として公表された電波インターフェイス規格であり、ＣＤＭＡを用いて移動局にブロードバンド・インターネット・アクセスを提供する。これらの考え方はまた、広帯域ＣＤＭＡ（Ｗ−ＣＤＭＡ（登録商標））およびＴＤ−ＳＣＤＭＡなどのＣＤＭＡの他の変種を用いるユニバーサル地上波無線アクセス（ＵＴＲＡ）、ＴＤＭＡを用いるグローバル・システム・フォー・モバイル・コミュニケーションズ（ＧＳＭ（登録商標））、ならびにＯＦＤＭＡを用いるエボルブドＵＴＲＡ（Ｅ−ＵＴＲＡ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、およびフラッシュＯＦＤＭに拡張され得る。ＵＴＲＡ、Ｅ−ＵＴＲＡ、ＵＭＴＳ、ＬＴＥ、およびＧＳＭ（登録商標）は、３ＧＰＰ団体からの文書において説明されている。ＣＤＭＡ２０００およびＵＭＢは、３ＧＰＰ２団体からの文書において説明されている。用いられる実際のワイヤレス通信規格および多重アクセス技術は、具体的な用途およびシステムに課された全体的な設計の制約に依存すると考えられる。
【００１８】
[0026]ｅＮＢ１０４は、ＭＩＭＯ技術をサポートする複数のアンテナを有し得る。ＭＩＭＯ技術の使用により、ｅＮＢ１０４は、空間ドメインを利用して空間多重化、ビームフォーミング、および送信ダイバーシティをサポートすることができる。空間多重化は、同じ周波数において同時に異なるデータストリームを送信するために使用され得る。データストリームは、データレートを高める目的で単一のＵＥ１０６へと送信され得、あるいは全体としてのシステムの能力を高めるために複数のＵＥ１０６へと送信され得る。これは、各々のデータストリームを空間的にプリコーディング（ｓｐａｔｉａｌｌｙ  ｐｒｅｃｏｄｉｎｇ）（すなわち、振幅および位相のスケーリングを適用）し、次いで空間的にプリコーディングされた各々のストリームをＤＬにおいて複数の送信アンテナを通じて送信することによって達成される。空間的にプリコーディングされたデータストリームが、異なる空間シグネチャ（ｓｐａｔｉａｌ  ｓｉｇｎａｔｕｒｅ）を有してＵＥ１０６に到達し、このことにより、各々のＵＥ１０６は、このＵＥ１０６に向けられた１つ以上のデータストリームを復元することができる。ＵＬにおいては、各々のＵＥ１０６が、空間的にプリコーディングされたデータストリームを送信し、このことにより、ｅＮＢ１０４は、空間的にプリコーティングされた各々のデータストリームのソースを識別することができる。
【００１９】
[0027]空間多重化は、一般的に、チャネル条件が良好な場合に使用される。チャネル条件があまり良好でない場合、送信エネルギを１つ以上の方向に集中させるために、ビームフォーミングが使用され得る。これは、複数のアンテナによる送信のためにデータを空間的にプリコーディングすることによって達成され得る。セルの端における良好なカバレッジを達成するために、単一ストリームのビームフォーミング送信が、送信ダイバーシティと組み合わせて使用され得る。
【００２０】
[0028]以下の詳細な説明においては、アクセスネットワークの種々の態様が、ＤＬにおいてＯＦＤＭをサポートするＭＩＭＯシステムに関連して説明される。ＯＦＤＭは、ＯＦＤＭシンボル内のいくつかのサブキャリアにわたってデータを変調するスペクトル拡散技術である。サブキャリアは、間隔を開けて精密周波数に位置している。間隔は、サブキャリアからのデータの復元を受信機にとって可能にする「直交性」を提供する。時間ドメインにおいて、ＯＦＤＭシンボル間干渉に対抗するために、ガードインターバル（例えば、サイクリックプリフィクス）が、各々のＯＦＤＭシンボルに追加され得る。ＵＬは、高いピーク対平均電力比（ｐｅａｋ−ｔｏ−ａｖｅｒａｇｅ  ｐｏｗｅｒ  ｒａｔｉｏ）（ＰＡＰＲ）を補償するために、ＤＦＴ拡散ＯＦＤＭ信号の形態のＳＣ−ＦＤＭＡを使用し得る。
【００２１】
[0029]図２Ａは、ＵＥがチャネル測定情報を基地局に周期的に提供する方法を示す図２００である。図の２００に示されるとおり、ＵＥ２０４は、ＵＥ２０４におけるダウンリンクチャネル品質および信号対干渉雑音比（ＳＩＮＲ）を推定するために、ＣＱＩ２０６，２０８，２１２，２２０をｅＮＢ２０２（または、任意の他の基地局）へと周期的に送信する。一態様では、ＵＥ２０４は、オンデマンドにてＣＱＩをｅＮＢ２０２に報告し得る。次に、ｅＮＢ２０２は、種々のＵＥ（図示せず）からのＣＱＩ情報を使用してスケジューリング決定を行う（例えば、受信したＣＱＩに基づいてどのＵＥにデータを送信するかを決定し、データを送信するサブフレームおよびリソースブロックを選択し、ＣＱＩに基づいてＭＣＳおよび他の送信パラメータを選択する）。図２Ａにおいて、ＣＱＩ２０６，２０８，２１２，２２０は、ダウンリンクデータがｅＮＢ２０２から予想されるかどうかにかかわらず送信される。すなわち、ＣＱＩ送信は、ダウンリンクデータ伝送によってスケジュールされるのではなく、ダウンリンクデータ伝送に関連付けられているわけでもない。例えば、ＵＥ２０４がＣＱＩ２０６を送信する場合、ＵＥ２０４は、ｅＮＢ２０２からいかなるデータも受信することも予想しない。ＵＥ２０４は、ＣＱＩ送信の周期的スケジューリングに基づいてＣＱＩ２０８を送信し得る。ＣＱＩ２０６，２０８が送信されるとき、ＵＥ２０４はダウンリンク許可を受信していないので、ＵＥ２０４はダウンリンク伝送がスケジュールされていることを知らない。ｅＮＢ２０２が送信するデータを有する場合、ｅＮＢ２０２は、第１のダウンリンク許可／データ２１０をＵＥ２０４に送信することを決定し得る。この後、ＵＥ２０４は、周期的ＣＱＩ送信スケジューリングに基づいてＣＱＩ２１２を送信し得る。ｅＮＢ２０２は、ＵＥ２０２のための追加データを有し得、第２、第３、第４のダウンリンク許可／データ２１４，２１６，２１８をＵＥ２０４に送信し得る。ＵＥ２０４は、周期的ＣＱＩ送信スケジューリングに基づいてＣＱＩ２２０をｅＮＢ２０２に送信し得る。図２Ａによって示されるように、ＵＥ２０４は、ＵＥ２０４がｅＮＢ２０２からデータを受信することを予想するかどうかにかかわらず、ＣＱＩを送信する。さらに、ＣＱＩ２１２は、第２、第３、および第４のダウンリンク許可／データ２１４，２１６，２１８の前に送信されたが、第２のダウンリンク許可／データ２１４の送信と第３のダウンリンクの許可／データ２１６の送信との間においてチャネル条件が変化した場合、ｅＮＢ２０２は、ＣＱＩが各々のデータ伝送の前にではなく、むしろ周期的なやり方で送信されているため、変化について知り、あるいは変化を補償する術を、持たないと考えられる。
【００２２】
[0030]データが予想されるかどうかにかかわらずＣＱＩ情報を送信することにより、ＵＥ２０４などのワイヤレスデバイスは、バッテリ電力などの限られたエネルギを無駄にしている可能性がある。マシンタイプ通信およびセルラＩｏＴでは、ワイヤレスデバイスにＣＱＩを周期的に報告させたり、基地局においてチャネル品質を測定するための基準信号を送信させたりすることは、多くの場合に望ましくない。したがって、ＣＱＩまたはダウンリンク伝送に用いられるべき他の情報を、各データ伝送が予想される直前に報告する（例えば、ＣＱＩが報告されてから１０ｍｓ以内に伝送が行われる）必要がある。データ伝送の直前にＣＱＩおよび他の情報を報告することにより、ワイヤレスデバイスは、電力を節約し、チャネル状態の予期せぬ変化に適応し得る。さらに、セルラＩｏＴシステムは、機会型（opportunistic）またはチャネル認識型（channel-awareness）のスケジューリングを欠く可能性がある。典型的なセルラシステムにおける基地局は、周期的なＣＱＩ報告を使用して機会型のスケジューリングを行うことができる。しかしながら、セルラＩｏＴシステムに使用される基地局は、ワイヤレスデバイスにデータを頻繁には送信しないかもしれない。このようなワイヤレスデバイスのオン時間を短くする（例えば、バッテリ電力を節約する）ために、ワイヤレスデバイスは、事前に合意されたデータ伝送スロットにおける基地局からのデータ転送にジャスト・イン・タイムで目を覚ますことができる。このような場合、周期的に報告されるＣＱＩは、有用でなく、望ましくない可能性がある。このように、デバイスのリソースを節約しながらチャネル測定情報の報告を可能にする必要性が存在する。
【００２３】
[0031]図２Ｂは、各々のスケジュールされたダウンリンク伝送の前に、ＵＥが専用のリソースについての情報を基地局に提供する典型的な方法を示す図２５０である。図２Ｂにおいて、ＵＥ２５４（または、任意の他のワイヤレスデバイス）は、ランダムアクセスチャネル２５６を使用してｅＮＢ２５２（または、別の種類の基地局）との接続を確立し得る。ＵＥ２５４は、ｅＮＢ２５２とのハンドシェイクを行って、ネットワークへの初期アクセスを確立し得る。一態様では、ＵＥ２５４は、第１の（または、初期）情報メッセージ２５８をｅＮＢ２５２に送信し得る。第１の情報メッセージ２５８は、チャネル情報（例えば、ＣＱＩ）を含み得、あるいは第１の情報メッセージ２５８は、ＵＥ２５４とｅＮＢ２５２との間のチャネル状態に基づくデータ伝送のためにｅＮＢ２５２によって使用されるべき情報（例えば、ＭＣＳインデックス、送信電力、または基準信号）を含み得る。ｅＮＢ２５２がＵＥ２５４に送信するデータを有する場合、ｅＮＢ２５２は、ＵＥ２５４に第１のダウンリンク許可２６０（例えば、ダウンリンク制御情報メッセージ）を送信し得る。一態様では、第１のダウンリンク許可２６０は、マシン物理ダウンリンク制御チャネル（ＭＰＤＣＣＨ）上で送信され得る。第１のダウンリンク許可２６０は、ＵＥ２５４のための第１のスケジュールされたダウンリンク伝送２６４のための第１の専用ダウンリンクリソースをＵＥ２５４に示し得る。第１のダウンリンク許可２６０は、第１のスケジュールされたダウンリンク伝送２６４を予期してチャネル状態を決定するためのチャネル測定を実行するようにとの要求をＵＥ２５４に示し得る。すなわち、ｅＮＢ２５２は、第１のスケジュールされたダウンリンク伝送２６４における送信パラメータ（例えば、ＭＣＳ、送信電力、など）を変更する目的で、チャネルフィードバックを求めるように、第１のダウンリンク許可２６０を使用し得、それは、チャネル情報がＵＥ２５４から受信される前にスケジュールされた。
【００２４】
[0032]ＵＥ２５４は、第１のダウンリンク許可２６０に基づいて決定されたアップリンク伝送のための専用リソースにおいてチャネル情報／フィードバックを送信し得る。１つの構成では、第１のダウンリンク許可２６０は、チャネル情報のアップリンク伝送のためのＵＥ２５４に専用のリソースを、明示的に示し得る。別の構成では、第１のダウンリンク許可２６０は、アップリンクリソースを明示的に示さないことがあり、代わりにＵＥ２５４がチャネル情報を送信するための専用アップリンクリソースを導出するために使用し得る追加情報（例えば、余分なビット）を含み得る。一態様では、専用アップリンクリソースは、専用ダウンリンクリソースのハッシュおよびオフセットであってよい。この態様では、追加情報は、チャネル情報／フィードバックを送信する専用ダウンリンクリソースからのオフセットを示し得る。例えば、専用ダウンリンクリソースがサブフレーム８に位置し、オフセットが４サブフレームである場合、専用アップリンクリソースは、サブフレーム４（例えば、ダウンリンクリソース−オフセット＝アップリンクリソース）に位置し得る。このように、ＵＳ２５４は、ＵＥ２５４が第１のスケジュールされたダウンリンク伝送２６４を受信すると予想する４サブフレーム（または、任意の他の数のサブフレーム）前に、チャネル情報を送信し得る。この例では、アップリンクリソースは、ダウンリンクリソースと同じトーンインデックスで、しかしながら異なるサブフレームにおいて開始し得る。別の態様では、追加情報は、長いチャネル情報または短いチャネル情報のどちらが要求されているかを示し得る。長いチャネル情報が、より多くの量のチャネル情報（例えば、要求されたＭＣＳ、ＣＱＩ、送信電力、など）を指し得る一方で、短いチャネル情報は、より少ない量のチャネル情報（例えば、ＣＱＩのみ）を指し得る。別の態様では、追加情報は、アップリンク伝送に使用されるＭＣＳ、アップリンク伝送のための送信電力制御コマンド、アップリンク伝送に使用されるリソースの量（例えば、ＭＣＳに依存する）、およびチャネルフィードバックを送信するか否かの指示を示し得る。さらに別の構成では、第１のダウンリンク許可２６０は、アップリンクリソースを明示的に示さないことがあり、アップリンクリソースに関連する追加情報も含まないことがある。この構成では、ＵＥ２５４は、第１のダウンリンク許可２６０で示されたダウンリンクリソースに基づいてアップリンク専用リソースを決定するために必要な情報で事前設定され得る。例えば、ＵＥ２５４は、ＵＥ２５４が第１のダウンリンク許可２６０で示されたダウンリンクリソースからアップリンクリソースを導出するために使用し得るオフセット値で事前設定され得る。
【００２５】
[0033]第１のダウンリンク許可２６０を受信すると、ＵＥ２５４は、第２の情報メッセージ２６２においてチャネル情報を送信し得る。一態様では、第２の情報メッセージ２６２は、マシン物理アップリンク共有チャネル（ＭＰＵＳＣＨ）において送信され得る。第２の情報メッセージ２６２は、第１のスケジュールされたダウンリンク伝送２６４を送信するためにｅＮＢ２５２によって使用されるＣＱＩ、送信電力、ＭＣＳインデックス、または基準信号などの情報を含み得る。第２の情報メッセージ２６２は、第１のスケジュールされたダウンリンク伝送２６４を送信するために使用されるデータ伝送リソースに従属させられ得る。図２Ｂに示されるように、ＵＥ２５４は、ｅＮＢ２５２が第１のスケジュールされたダウンリンク伝送２６４を送信する前に、第２の情報メッセージ２６２を送信する。一態様では、第２の情報メッセージ２６２が送信される専用リソースは、第１のスケジュールされたダウンリンク伝送２６４のためのｅＮＢ２５２からの第１のダウンリンク許可２６０から黙示的に推論され得る。別の態様では、専用リソースは、第１のダウンリンク許可２６０にてｅＮＢ２５２によって明示的に示され得る。
【００２６】
[0034]前述したように、ｅＮＢ２５２が第１のダウンリンク許可２６０を介してＵＥ２５４にダウンリンクリソースを提供する場合、ＵＥ２５４は、第１のダウンリンク許可２６０に黙示的または明示的に示された専用アップリンクリソースを使用してｅＮＢ２５２に情報を送信し得る。一態様では、ＵＥ２５４は、チャネル品質の測定報告をｅＮＢ２５２に送信し得る。測定報告は、専用アップリンクリソースを使用して第２の情報メッセージ２６２にて送信され得る。この態様では、ＵＥ２５４は、ｅＮＢ２５２によって先に送信された信号／メッセージからダウンリンクチャネル品質を測定し得る。例えば、測定によるＣＱＩを得るためにダウンリンクチャネル品質を測定した後で、ＵＥ２５４は、測定によるＣＱＩをｅＮＢ２５２に送信し得る。別の態様では、実際の測定によるＣＱＩ（例えば、チャネルに関する絶対ＣＱＩ値）を送信する代わりに、ＵＥ２５４は、第１の情報メッセージ２５８で送信された以前のＣＱＩに対するＣＱＩ補正係数を送信し得る。例えば、ＵＥ２５４が９というＣＱＩを示す第１の情報メッセージ２５８を送信した場合に、ＵＥ２５４は、全く新しいＣＱＩを送信する代わりに、第２の情報メッセージ２６２において補正係数を送信し得る。ＵＥ２５４は、例えば、インジケータビットを使用することによって、第２の情報メッセージ２６２が補正係数を含むことを示し得る。すなわち、インジケータビットが０である場合、第２の情報メッセージ２６２は絶対ＣＱＩ値を含み得、インジケータビットが１である場合、第２の情報メッセージ２６２はＣＱＩ補正係数を含み得る。一例では、インジケータビットは１に設定され得、ＵＥ２５４は、第２の情報メッセージ２６２が１という補正係数を含むことを示し得る。ｅＮＢ２５２は、１というＣＱＩ補正係数を受信すると、以前に受信した９というＣＱＩを増加させ、１０という新しいＣＱＩを決定し得る。一例では、インジケータビットは１に設定され得、ＵＥ２５４は、第２の情報メッセージ２６２が−１という補正係数を含むことを示し得る。ｅＮＢ２５２は、−１というＣＱＩ補正係数を受信すると、以前に受信した９というＣＱＩを減らし、８という新しいＣＱＩを決定し得る。別の態様では、ＵＥ２５４が第１の情報メッセージ２５８でＣＱＩを送信しなかった場合、第２の情報メッセージ２６２のインジケータビットは０に設定され得、ＵＥ２５４は、第２の情報メッセージ２６２で１０というＣＱＩを送信し得る。
【００２７】
[0035]別の態様では、ＵＥ２５４は、ｅＮＢ２５２が第１のスケジュールされたダウンリンク伝送２６４に使用すべき送信電力を送信し得る。送信電力は、第２の情報メッセージ２６２で送信され得る。ＵＥ２５４は、ＵＥ２５４とｅＮＢ２５２との間の測定されたチャネル品質／状態（例えば、ＣＱＩ）に基づいて送信電力を決定し得る。チャネル状態が（例えば、他のデバイスからの干渉、ＵＥ２５４とｅＮＢ２５２との間の長い距離、または低いＳＩＮＲに起因して）良好でない場合、ＵＥ２５４は、ｅＮＢ２５２により高い送信電力を要求または提案し得る。対照的に、ＵＥ２５４がｅＮＢに近く、ＳＩＮＲが高く、さらには／あるいは他のデバイスからの干渉が少ない場合、ＵＥ２５４は、ｅＮＢ２５２により低い送信電力を要求または提案し得る。一態様では、ＵＥ２５４は、ＵＥ２５４がｅＮＢ２５２による使用を望む絶対／実際の送信電力を送信し得る。別の態様では、ＵＥ２５４は、ｅＮＢ２５２からの以前の送信の送信電力に対する送信電力補正係数を送信し得る。ＵＥ２５４は、ＵＥ２５４が絶対送信電力または送信電力補正係数のどちらを送信しているのかを、上述したようにインジケータビットを使用して示し得る。一態様では、ＵＥ２５４は、第１のダウンリンク許可２６０で示されたＭＣＳをデコードするために必要とされるＳＩＮＲに基づいて、送信電力または送信電力補正係数を計算し得る。別の態様では、ｅＮＢ２５２は、ＵＥ２５４によって推奨／要求された送信電力を受け入れ得、あるいはｅＮＢ２５２は、ワイヤレス媒体の状態（例えば、高い送信電力を使用すると過度の干渉が生じるかどうか）に基づいて類似であるが異なる送信電力を使用するように決定し得る。
【００２８】
[0036]別の態様では、ＵＥ２５４は、ｅＮＢ２５２が使用すべきＭＣＳインデックスを送信し得る。送信電力パラメータと同様に、ＵＥ２５４は、絶対ＭＣＳインデックス（例えば、実際のＭＣＳインデックス）または第１のダウンリンク許可２６０においてｅＮＢ２５２によって示されたＭＣＳインデックスに対するＭＣＳインデックス補正係数を送信し得る。ＭＣＳインデックスまたはＭＣＳインデックス補正係数は、専用リソースを使用して第２の情報メッセージ２６２にてＵＥ２５４によって送信され得る。ＵＥ２５４は、ＵＥ２５４とｅＮＢ２５２との間の測定されたチャネル品質／状態に基づいてＭＣＳインデックスまたはＭＣＳインデックス補正を決定し得る。例えば、ＳＩＮＲが低い場合、ＵＥ２５４は、より低いＭＣＳインデックスを提案し得、あるいは第１のスケジュールされたダウンリンク伝送２６４の送信により低いＭＣＳインデックスを使用するようにｅＮＢ２５２に対して指示するＭＣＳインデックス補正係数を提案し得る。ＳＩＮＲが高い場合、ＵＥ２５４は、より高いＭＣＳインデックスを提案し得、あるいは第１のスケジュールされたダウンリンク伝送２６４の送信に用いられるＭＣＳインデックスを増加させるようにｅＮＢ２５２に対して指示するＭＣＳインデックス補正係数を提案し得る。別の態様では、ｅＮＢ２５２は、ＵＥ２５４によって提案されたＭＣＳインデックスに類似しているが異なるＭＣＳインデックスを選択し得る。例えば、ＵＥ２５４が１５というＭＣＳインデックスを提案する場合に、ｅＮＢ２５２は１４というＭＣＳインデックスを選択し得る。
【００２９】
[0037]さらに別の態様では、ＵＥ２５４は、第１のダウンリンク許可２６０によって示される専用リソースにおいて基準信号（例えば、サウンディング基準信号）を送信し得る。基準信号は、ｅＮＢ２５２がダウンリンクチャネル品質／状態を推定することを可能にし得る。一態様では、ＵＥ２５４が第２の情報メッセージ２６２において基準信号を送信する場合、ＵＥ２５４は、基準信号の送信前にチャネル品質を測定する必要がないことがある。ＵＥ２５４は、第１のダウンリンク許可２６０の受信に応答して基準信号を送信し得る。
【００３０】
[0038]ｅＮＢ２５２がＵＥ２５４から第２の情報メッセージ２６２を受信した後、ｅＮＢ２５２は、第１のスケジュールされたダウンリンク伝送２６４を送信するために使用される送信パラメータを調整し得る。一態様では、第２の情報メッセージ２６２に含まれる１つ以上のインジケータに基づいて、ｅＮＢ２５２は、第２の情報メッセージ２６２が送信電力、ＭＣＳインデックス、などに関する絶対値または補正係数を含むかどうかを決定し得る。例えば、送信電力または送信電力補正係数が第２の情報メッセージ２６２に含まれていた場合、ｅＮＢ２５２は、第１のスケジュールされたダウンリンク伝送２６４を送信するために使用される送信電力を調整し得る。ｅＮＢ２５２は、第２の情報メッセージ２６２に含まれる送信電力を使用し得、あるいはｅＮＢ２５２は、第２の情報メッセージ２６２における送信電力／送信電力補正係数に基づいて別の送信電力を決定し得る。
【００３１】
[0039]別の例では、第２の情報メッセージ２６２にＭＣＳインデックスまたはＭＣＳインデックス補正係数が含まれる場合、ｅＮＢは、第１のスケジュールされたダウンリンク伝送２６４の送信に関して、第２の情報メッセージ２６２におけるＭＣＳインデックスまたはＭＣＳインデックス補正係数に基づいてＭＣＳインデックス（または、ＭＣＳ）を選択し得る。ｅＮＢ２５２が第１のダウンリンク許可２６０においてＭＣＳインデックスを知らせた場合に、ｅＮＢ２５２は、受信された第２の情報メッセージ２６２に基づいて、第１のダウンリンク許可２６０において知らせたＭＣＳインデックスとは異なるＭＣＳインデックスを選択し得る。一態様では、選択されるＭＣＳインデックスは、第２の情報メッセージ２６２にて知らされたＭＣＳインデックスまたはＭＣＳインデックス補正係数に基づくが、第２の情報メッセージ２６２にて知らされたＭＣＳインデックスまたはＭＣＳインデックス補正係数とは異なってよい。
【００３２】
[0040]別の例では、ＣＱＩが第２の情報メッセージ２６２にて知らされる場合、ｅＮＢ２５２は、ＣＱＩによって示されるとおりのチャネル状態に基づいて第１のスケジュールされたダウンリンク伝送２６４を送信するために使用される送信電力および／またはＭＣＳインデックスを決定し得る。チャネル品質が良好でない場合、ｅＮＢ２５２は、第１のスケジュールされたダウンリンク伝送２６４に関する送信電力を増加させ、さらには／あるいはＭＣＳインデックスを下げることを決定し得る。対照的に、チャネル品質が良好である場合、ｅＮＢ２５２は、第１のスケジュールされたダウンリンク伝送２６４を送信するとき、ＭＣＳインデックスを増加させ、さらには／あるいは送信電力を低減することを決定し得る。
【００３３】
[0041]さらに別の例では、第２の情報メッセージ２６２が基準信号を含む場合、ｅＮＢ２５２は、基準信号に基づいてｅＮＢ２５２とＵＥ２５４との間のチャネル状態を決定し得る。チャネル品質が良好である場合、ｅＮＢ２５２は、第１のスケジュールされたダウンリンク伝送２６４に関する送信電力を維持または低下させることを決定し得る。一態様では、元の送信電力が、第１のダウンリンク許可２６０において示され得る。同様に、チャネル品質が良好である場合、ｅＮＢ２５２は、第１のスケジュールされたダウンリンク伝送２６４に関するＭＣＳインデックスを維持または増加させることを決定し得る。
【００３４】
[0042]この後、ＵＥ２５４は、ｅＮＢ２５２から第１のスケジュールされたダウンリンク伝送２６４を受信し得る。ＵＥ２５４は、第１のダウンリンク許可２６０に含まれるＭＣＳインデックスを使用して、第１のスケジュールされたダウンリンク伝送２６４のデコードを試み得る。ＵＥ２５４は、ｅＮＢ２５２がＵＥ２５４から受信した情報（例えば、第２の情報メッセージ２６２）に基づいてｅＮＢ２５２がダウンリンク伝送のためのＭＣＳを変更した可能性があるので、複数のＭＣＳについてブラインドデコーディングを実行し得る。しかしながら、ＵＥ２５４は、ｅＮＢ２５２がＵＥ２５４からのＭＣＳの推奨を受け入れたかどうかを知らないことがある。したがって、ＵＥ２５４は、第２の情報メッセージ２６２で送信された情報（例えば、ＭＣＳインデックス）に基づいてｅＮＢ２５２が使用するとＵＥ２５４が予想する１つ以上のＭＣＳインデックスを使用して、第１のスケジュールされたダウンリンク伝送２６４のデコードを試み得る。
【００３５】
[0043]ｅＮＢ２５２がＵＥ２５４へと送信すべきさらなるデータを有する場合、ｅＮＢ２５２は、第２のダウンリンク許可２６６をＵＥ２５４に送信し得る。第２のダウンリンク許可２６６は、第２のスケジュールされたダウンリンク伝送２７０に関連づけられ得る。第２のダウンリンク許可２６６は、第３の情報メッセージ２６８を送信するためのＵＥ２５４に専用のアップリンクリソースを黙示的または明示的に示し得る。一態様では、ＵＥ２５４は、チャネル測定／状態が大幅には変化していない場合、第３の情報メッセージ２６８を送信しないことがある。例えば、ｅＮＢ２５２によって使用されている既存のＭＣＳインデックス（例えば、第２のダウンリンク許可２６６にて示されたＭＣＳインデックス）をデコードすることが可能であるとＵＥ２５４が予想し、送信電力が閾値よりも大きい（例えば、２ｄＢより大きい）量だけ下げられたならば同じＭＣＳインデックスをデコード可能であるとＵＥ２５４が予想せず、および／またはより高いＭＣＳインデックスをデコードするとＵＥ２５４が予想しない場合、チャネル状態／測定値は有意には変化していないことがある。チャネル状態が変化しない限りにおいて情報メッセージを再送信しないことによって、ＵＥ２５４は、電力およびリソースをさらに節約し得る。しかしながら、チャネル状態が充分に変化した場合、第２のダウンリンク許可２６６を受信すると、ＵＥ２５４は、第３の情報メッセージ２６８をＵＥ２５４に送信し得る。ＵＥ２５４から第３の情報メッセージ２６８を受信すると、ｅＮＢ２５２は、第２のスケジュールされたダウンリンク伝送２７０を送信するための送信電力および／またはＭＣＳを調整し得る。
【００３６】
[0044]要約すると、ｅＮＢ２５２は、ダウンリンク伝送をスケジューリングするダウンリンク許可をＵＥ２５４へと送信し得るとともに、チャネル測定を実行するようにＵＥ２５４をトリガし、あるいは促す。応答において、セルラＩｏＴシステム内のＵＥ２５４（または、任意の他のワイヤレスデバイス）は、ＵＥ２５４によるチャネル測定の実行よりも前に既にスケジュールされたダウンリンク伝送に使用されるべき情報、推奨、または命令を含むチャネル情報をｅＮＢ２５２に送信し得る。図２Ｂは、限られた数のＵＥしか示していないが、任意の数のＵＥが、この方法を使用し得る。さらに、図２Ｂは、２つのスケジュールされたダウンリンク伝送を示しているが、任意の数のダウンリンク伝送が、この方法を利用し得る。また、ＵＥは、情報メッセージにおいて複数の情報（例えば、送信電力補正係数および／またはＭＣＳインデックス）を送信し得る。送信電力およびＭＣＳインデックス以外の他の送信パラメータも、ｅＮＢ２５２へと送信し得る。
【００３７】
[0045]図３が、ワイヤレス通信の一方法のフロー図３００である。この方法は、ＵＥ（例えば、ＵＥ２５４、装置５０２／５０２’など）によって実行され得る。３０２において、ＵＥは、基地局からメッセージを受信し得る。メッセージは、アップリンク伝送のための第１の専用リソースを示し得、専用リソースは、基地局からのスケジュールされたダウンリンク伝送に関連づけられ得る。例えば、図２Ｂを参照すると、ＵＥ２５４は、ｅＮＢ２５２から第１のダウンリンク許可２６０を受信し得る。第１のダウンリンク許可２６０は、ダウンリンク伝送のための専用リソースを示し得、専用リソースは、ｅＮＢ２５２からの第１のスケジュールされたダウンリンク伝送２６４に関連づけられる。
【００３８】
[0046]３０４において、ＵＥは、メッセージに示されたダウンリンク伝送のための第１の専用リソースに基づいて、アップリンク伝送のための第２の専用リソースを決定し得る。アップリンク伝送のための第２の専用リソースは、スケジュールされたダウンリンク伝送に関連づけられ得る。例えば、図２Ｂを参照すると、ＵＥ２５４は、第１のダウンリンク許可２６０で示された専用ダウンリンクリソースに基づいて、アップリンク伝送のための専用アップリンクリソースを決定し得る。一態様では、第１のダウンリンク許可２６０はオフセット値を含み得、ＵＥ２５４は、オフセット値を決定し、専用ダウンリンクリソースのリソース位置（例えば、サブフレーム番号）を決定し、リソース位置からオフセット値を減算することで専用アップリンクリソースのリソースロケーションを取得し得る。
【００３９】
[0047]３０６において、ＵＥは、スケジュールされたダウンリンク伝送を送信するために基地局によって使用されるべき情報メッセージを第２の専用リソースにおいて送信するかどうかを決定し得る。例えば、図２Ｂを参照すると、ＵＥ２５４は、第１のスケジュールされたダウンリンク伝送２６４を送信するためにｅＮＢ２５２によって使用される第２の情報メッセージ２６２を送信するかどうかを決定し得る。第２の情報メッセージ２６２は、第１のダウンリンク許可２６０において示された専用ダウンリンクリソースから推測される専用アップリンクリソースにおいて送信される。
【００４０】
[0048]一態様では、ＵＥは、３０８，３１０のステップを実行することによって情報メッセージを送信するかどうかを決定し得る。３０８において、ＵＥは、基地局がメッセージに関連するスケジュールされたダウンリンク伝送を送信する前に、ＵＥと基地局との間のチャネル状態を測定し得る。３１０において、ＵＥは、基地局によって使用される現在のＭＣＳをデコード可能であるとＵＥが予想する場合、基地局によって使用される送信電力が閾値を超えて減らされたならば基地局によって使用される現在のＭＣＳをデコード可能であるとＵＥが予想しない場合、およびより大きなＭＣＳをデコードするとＵＥが予想しない場合に、基地局への情報メッセージの送信を控え得る。例えば、図２Ｂを参照し、ＵＥ２５４が第１の情報メッセージ２５８を送信したと仮定すると、ＵＥ２５４は、ｅＮＢ２５２による第１のダウンリンク許可２６０に関連する第１のスケジュールされたダウンリンク伝送２６４の送信の前に、ＵＥ２５４とｅＮＢ２５２との間のチャネル状態を測定することによって第２の情報メッセージ２６２を送信するかどうかを決定し得る。ＵＥ２５４は、ｅＮＢ２５２によって使用される現在のＭＣＳをデコード可能であるとＵＥ２５４が予想する場合、ｅＮＢ２５２によって使用される送信電力が２ｄＢｍを超えて減らされたならばｅＮＢ２５２によって使用される現在のＭＣＳをデコード可能であるとＵＥ２５４が予想しない場合、およびより大きなＭＣＳをデコードするとＵＥ２５４が予想しない場合に、ｅＮＢ２５２への第２の情報メッセージ２６２の送信を控える。対照的に、ＵＥ２５４がより大きなＭＣＳをデコード可能である場合、ＵＥ２５４は、第２の情報メッセージ２６２を送信し得る。別の例では、ＵＥ２５４は、前述したように、チャネル状態が大きくは変化していない場合、第２の情報メッセージ２６２を送信した後の第３の情報メッセージ２６８の送信を控え得る。
【００４１】
[0049]３１２において、ＵＥは、基地局がスケジュールされたダウンリンク伝送を送信する前に、情報メッセージを第２の専用リソースにおいて基地局に送信し得る。例えば、図２Ｂを参照すると、ＵＥ２５４は、第２の情報メッセージ２６２を送信すると決定した後、ｅＮＢ２５２が第１のスケジュールされたダウンリンク伝送２６４を送信する前に、第２の情報メッセージ２６２を専用アップリンクリソースにおいて送信し得る。
【００４２】
[0050]最後に、３１４において、ＵＥは、基地局からスケジュールされたダウンリンク伝送を受信し得る。スケジュールされたダウンリンク伝送は、第２の専用リソースを使用して基地局に送信された情報メッセージに基づいて受信され、あるいは以前に送信された情報メッセージに基づいて受信される。例えば、図２Ｂを参照すると、ＵＥ２５４は、ｅＮＢ２５２から第１のスケジュールされたダウンリンク伝送２６４を受信し得る。第１のスケジュールされたダウンリンク伝送２６４は、専用アップリンクリソースを使用してｅＮＢ２５２に送信された第２の情報メッセージ２６２に基づいて受信される。別の例では、図２Ｂを参照すると、ＵＥ２５４は、ｅＮＢ２５２から第２のスケジュールされたダウンリンク伝送２７０を受信し得る。第２のスケジュールされたダウンリンク伝送２７０は、以前に送信された第２の情報メッセージ２６２に基づいて受信される。この例では、ＵＥ２５４は、チャネル状態／品質が大きくは変化しなかったので、第３の情報メッセージ２６８を送信していない。
【００４３】
[0051]図４が、ワイヤレス通信の一方法のフロー図４００である。この方法は、ｅＮＢ（例えば、ｅＮＢ２５２、装置７０２／７０２’）によって実行され得る。４０２において、ｅＮＢは、メッセージをＵＥに送信し得る。メッセージは、ダウンリンク伝送のための第１の専用リソースを示し得、第１の専用リソースは、ＵＥへのスケジュールされたダウンリンク伝送に関連づけられ得る。例えば、図２Ｂを参照すると、ｅＮＢ２５２は、第１のダウンリンク許可２６０をＵＥ２５４に送信し得る。第１のダウンリンク許可２６０は、ダウンリンク伝送のための専用リソースを示し得、専用リソースは、ＵＥ２５４への第１のスケジュールされたダウンリンク伝送２６４に関連づけられ得る。
【００４４】
[0052]４０４において、ｅＮＢは、ダウンリンク伝送のための第１の専用リソースに基づくアップリンク伝送のための第２の専用リソースにおいてＵＥから情報メッセージを受信する。情報メッセージは、情報メッセージが受信される前にスケジュールされたスケジュールされたダウンリンク伝送を送信するために使用され得る。例えば、図２Ｂを参照すると、ｅＮＢ２５２は、専用アップリンクリソースにおいてＵＥ２５４から第２の情報メッセージ２６２を受信する。第２の情報メッセージ２６２は、第１のスケジュールされたダウンリンク伝送２６４を送信するために、ｅＮＢ２５２によって使用され得、それは、第２の情報メッセージ２６２が受信される前にスケジュールされた。第２の情報メッセージ２６２は、第１のスケジュールされたダウンリンク伝送２６４を送信するために使用されるＭＣＳインデックスおよび／または送信電力を含み得る。
【００４５】
[0053]最後に、４０６において、ｅＮＢは、ＵＥからの情報メッセージを受信した後に、スケジュールされたダウンリンク伝送を送信し得る。送信は、受信した情報メッセージに基づき得る。例えば、図２Ｂを参照すると、ｅＮＢ２５２は、第２の情報メッセージ２６２をＵＥ２５４から受信した後に、第１のスケジュールされたダウンリンク伝送２６４を送信する。例えば、ｅＮＢ２５２は、第１のスケジュールされたダウンリンク伝送２６４の送信パラメータについていかなる調整も行わないことがある。別の例では、第２の情報メッセージ２６２が−１というＭＣＳインデックス補正係数を含み、元のＭＣＳインデックスが１５であると仮定すると、ｅＮＢ２５２は、第１のスケジュールされたダウンリンク伝送２６４を送信するために、ＭＣＳインデックス補正係数に基づいて１４というＭＣＳインデックス（または、さらに小さいＭＣＳインデックス）を選択する。さらに別の例では、第２の情報メッセージが送信電力を含む場合、ｅＮＢ２５２は、第２の情報メッセージ２６２に示される送信電力に基づいて、第１のスケジュールされたダウンリンク伝送２６４のための送信電力を調整し得る。
【００４６】
[0054]図５は、典型的な装置５０２における種々のモジュール／手段／コンポーネント間のデータの流れを説明する概念的なデータフロー図５００である。装置は、ＵＥであり得る。この装置は、受信コンポーネント５０４と、フィードバックコンポーネント５０６と、リソースコンポーネント５１０と、送信コンポーネント５０８とを含む。受信コンポーネント５０４は、基地局５５０からメッセージを受信するように構成され得る。メッセージは、ダウンリンク伝送のための第１の専用リソースを示し得、第１の専用リソースは、基地局５５０からのスケジュールされたダウンリンク伝送に関連づけられ得る。リソースコンポーネント５１０は、メッセージに示されるダウンリンク伝送のための第１の専用リソースに基づいて、アップリンク伝送のための第２の専用リソースを決定するように構成され得る。アップリンク伝送のための第２の専用リソースは、スケジュールされたダウンリンク伝送に関連づけられ得る。フィードバックコンポーネント５０６は、スケジュールされたダウンリンク伝送を送信するために基地局５５０によって使用されるべき情報メッセージを第２の専用リソースにおいて送信するかどうかを決定するように構成され得る。１つの構成において、フィードバックコンポーネント５０６は、基地局５５０がメッセージに関連するスケジュールされたダウンリンク伝送を送信する前に装置と基地局５５０との間のチャネル状態を測定することであって、該測定がダウンリンク伝送のための第１の専用リソースを示すメッセージの受信に基づいてトリガされ得る、測定することと、基地局５５０によって使用される現在のＭＣＳをデコード可能であると装置が予想し、基地局５５０によって使用される送信電力が閾値を超えて減らされるならば基地局５５０によって使用される現在のＭＣＳをデコード可能であると装置が予想せず、より大きなＭＣＳをデコードすると装置が予想しない場合に、基地局５５０への情報メッセージの送信を控えることとによって、情報メッセージを送信するかどうかの決定を行うように構成され得る。別の構成において、送信コンポーネント５０８は、基地局５５０がスケジュールされたダウンリンク伝送を送信する前に、情報メッセージを第２の専用リソースにおいて基地局５５０に送信するように構成され得る。一態様では、情報メッセージは、送信電力または送信電力補正係数を含み得る。送信電力または送信電力補正係数は、装置と基地局５５０との間のチャネル状態に基づき得る。別の態様では、情報メッセージは、ＭＣＳインデックスまたはＭＣＳインデックス補正係数を含み得る。ＭＣＳインデックスまたはＭＣＳインデックス補正係数は、装置と基地局５５０との間のチャネル状態に基づき得る。別の態様では、情報メッセージは、ＣＱＩまたは既知のＣＱＩに関するＣＱＩ補正係数を含むチャネル測定レポートを含み得る。ＣＱＩまたはＣＱＩ補正係数は、装置と基地局５５０との間のチャネル状態に基づき得る。別の態様では、情報メッセージは、基準信号を含み得る。別の構成では、送信コンポーネント５０８は、基地局５５０からスケジュールされたダウンリンク伝送を受信するように構成され得、スケジュールされたダウンリンク伝送は、第２の専用リソースを使用して基地局５５０に送信される情報メッセージに基づいて受信され得、あるいは以前に送信された情報メッセージに基づいて受信される。別の態様では、情報メッセージは、非周期的に送信され得る。
【００４７】
[0055]装置は、図３の上述のフロー図におけるアルゴリズムの各ブロックを実行する追加のコンポーネントを含み得る。したがって、図３の上述のフロー図の各ブロックは、コンポーネントによって実行され得、装置は、それらのコンポーネントのうちの１つ以上を含み得る。コンポーネントは、上述のプロセス／アルゴリズムを実行するようにとくに構成された１つ以上のハードウェアコンポーネントであり得、上述のプロセス／アルゴリズムを実行するように構成されたプロセッサによって実現され得、プロセッサによる実行のためにコンピュータ読取可能媒体内に格納され得、あるいはこれらの何らかの組み合わせであり得る。
【００４８】
[0056]図６は、処理システム６１４を用いる装置５０２’のハードウェアの実装の例を示す図６００である。処理システム６１４は、広くバス６２４によって表されるバスアーキテクチャによって実現され得る。バス６２４は、処理システム６１４の個々の用途および全体としての設計の制約事項に応じて、任意の数の相互接続バスおよびブリッジを含み得る。バス６２４は、プロセッサ６０４、コンポーネント５０４、５０６、５０８、およびコンピュータ読取可能媒体／メモリ６０６によって代表される１つ以上のプロセッサおよび／またはハードウェアコンポーネントを含む種々の回路を互いに接続する。バス６２４は、タイミングソース、周辺機器、電圧調整装置、および電力管理回路など、種々の他の回路も接続し得、それは、技術的に周知であり、したがってこれ以上は説明されない。
【００４９】
[0057]処理システム６１４は、トランシーバ６１０へと接続され得る。トランシーバ６１０は、１つ以上のアンテナ６２０へと接続される。トランシーバ６１０は、伝送媒体を介して種々の他の装置と通信するための手段を提供する。トランシーバ６１０は、１つ以上のアンテナ６２０から信号を受信し、受信した信号から情報を抽出し、抽出した情報を処理システム６１４へともたらし、とくには受信コンポーネント５０４へともたらす。加えて、トランシーバ６１０は、処理システム６１４から情報を受け取り、とくには送信コンポーネント５０８から情報を受け取り、受け取った情報に基づいて、１つ以上のアンテナ６２０へと加えられる信号を生成する。処理システム６１４は、コンピュータ読取可能媒体／メモリ６０６へと接続されたプロセッサ６０４を含む。プロセッサ６０４は、コンピュータ読取可能媒体／メモリ６０６に保存されたソフトウェアの実行を含む全体的な処理を担当する。ソフトウェアは、プロセッサ６０４によって実行されたときに、任意の特定の装置に関して上述した種々の機能を処理システム６１４に実行させる。コンピュータによって読み取り可能な媒体／メモリ６０６は、ソフトウェアの実行時にプロセッサ６０４によって操作されるデータを格納するためにも使用され得る。処理システムは、コンポーネント５０４、５０６、５０８、５１０のうちの少なくとも１つをさらに含む。コンポーネントは、コンピュータ読取可能媒体／メモリ６０６に位置し／格納され、プロセッサ６０４において動作するソフトウェアコンポーネント、プロセッサ６０４へと接続された１つ以上のハードウェアコンポーネント、あるいはこれらの組み合わせであり得る。
【００５０】
[0058]１つの構成では、ワイヤレス通信のための装置５０２／５０２’は、基地局からメッセージを受信するための手段を含む。メッセージは、ダウンリンク伝送のための第１の専用リソースを示し得、第１の専用リソースは、基地局からのスケジュールされたダウンリンク伝送に関連づけられ得る。装置は、メッセージに示されるダウンリンク伝送のための第１の専用リソースに基づいて、アップリンク伝送のための第２の専用リソースを決定するための手段を含み得る。アップリンク伝送のための第２の専用リソースは、スケジュールされたダウンリンク伝送に関連づけられ得る。装置は、スケジュールされたダウンリンク伝送を送信するために基地局によって使用されるべき情報メッセージを第２の専用リソースにおいて送信するかどうかを決定するための手段を含み得る。別の構成において、情報メッセージを送信するかどうかを決定するための手段は、基地局がメッセージに関連するスケジュールされたダウンリンク伝送を送信する前に、ダウンリンク伝送のための第１の専用リソースを示すメッセージの受信に基づいてトリガされてよい装置と基地局との間のチャネル状態の測定を実行し、基地局によって使用される現在のＭＣＳをデコード可能であると装置が予想し、基地局によって使用される送信電力が閾値を超えて減らされるならば基地局によって使用される現在のＭＣＳをデコード可能であると装置が予想せず、より大きなＭＣＳをデコードすると装置が予想しない場合に基地局への情報メッセージの送信を控えるように構成され得る。別の構成において、装置は、基地局がスケジュールされたダウンリンク伝送を送信する前に、情報メッセージを第２の専用リソースにおいて基地局に送信するための手段を含み得る。別の態様では、情報メッセージは、送信電力または送信電力補正係数を含み得る。送信電力または送信電力補正係数は、装置と基地局との間のチャネル状態に基づき得る。別の態様では、情報メッセージは、ＭＣＳインデックスまたはＭＣＳインデックス補正係数を含み得、ＭＣＳインデックスまたはＭＣＳインデックス補正係数は、装置と基地局との間のチャネル状態に基づき得る。別の態様では、情報メッセージは、ＣＱＩまたは既知のＣＱＩに関するＣＱＩ補正係数を含むチャネル測定レポートを含み得る。ＣＱＩまたはＣＱＩ補正係数は、装置と基地局との間のチャネル状態に基づき得る。別の態様では、情報メッセージは、基準信号を含み得る。別の構成では、装置は、基地局からスケジュールされたダウンリンク伝送を受信するための手段を含み得る。スケジュールされたダウンリンク伝送は、第２の専用リソースを使用して基地局へと送信された情報メッセージに基づいて受信され得、あるいは以前に送信された情報メッセージに基づいて受信され得る。別の態様では、情報メッセージは、非周期的に送信され得る。上述の手段は、上述の手段によって言及される機能を実行するように構成された装置５０２および／または装置５０２’の処理システム６１４の上述のコンポーネントのうちの１つ以上であり得る。
【００５１】
[0059]図７は、典型的な装置７０２における種々のモジュール／手段／コンポーネント間のデータの流れを説明する概念的なデータフロー図７００である。装置は、ｅＮＢであり得る。装置は、受信コンポーネント７０４と、フィードバックコンポーネント７０６と、送信コンポーネント７０８とを含む。送信コンポーネント７０８は、メッセージをＵＥへと送信するように構成され得る。メッセージは、ダウンリンク伝送のための第１の専用リソースを示し得、第１の専用リソースは、ＵＥへのスケジュールされたダウンリンク伝送に関連づけられ得る。受信コンポーネント７０４は、ダウンリンク伝送のための第１の専用リソースに基づくアップリンク伝送のための第２の専用リソースにおいてＵＥから情報メッセージを受信するように構成され得る。情報メッセージは、情報メッセージが受信される前にスケジュールされたスケジュールされたダウンリンク伝送を送信するために使用され得る。送信コンポーネント７０８は、ＵＥから情報メッセージを受信した後に、スケジュールされたダウンリンク伝送を送信するように構成され得、送信は、受信された情報メッセージに基づき得る。一態様では、情報メッセージは、絶対値または補正係数を含み得、絶対値または補正係数は、ＣＱＩ、送信電力、またはＭＣＳインデックスのうちの１つに関連づけられ得る。別の構成において、送信コンポーネント７０８および／またはフィードバックコンポーネント７０６は、受信された情報メッセージに基づいてスケジュールされたダウンリンク伝送のための送信電力を調整することによって、送信を行うように構成され得る。別の構成において、送信コンポーネント７０８および／またはフィードバックコンポーネント７０６は、受信された情報メッセージに基づいてスケジュールされたダウンリンク伝送のためのＭＣＳを選択することによって、送信を行うように構成され得る。別の態様では、情報メッセージは、非周期的にＵＥから受信され得る。別の態様では、ダウンリンク伝送のための第１の専用リソースを示すメッセージは、ＵＥへのフィードバックの要求であり得、ここにおいて、フィードバックは、フィードバックの要求の送信よりも前にスケジュールされたスケジュールされたダウンリンク伝送の送信パラメータを調整するために使用される。
【００５２】
[0060]装置は、図４の上述のフロー図におけるアルゴリズムの各ブロックを実行する追加のコンポーネントを含み得る。したがって、図４の上述のフロー図の各ブロックは、コンポーネントによって実行され得、装置は、それらのコンポーネントのうちの１つ以上を含み得る。コンポーネントは、上述のプロセス／アルゴリズムを実行するようにとくに構成された１つ以上のハードウェアコンポーネントであり得、上述のプロセス／アルゴリズムを実行するように構成されたプロセッサによって実現され得、プロセッサによる実行のためにコンピュータ読取可能媒体内に格納され得、あるいはこれらの何らかの組み合わせであり得る。
【００５３】
[0061]図８は、処理システム８１４を用いる装置７０２’のハードウェアの実装の例を示す図８００である。処理システム８１４は、広くバス８２４によって表されるバスアーキテクチャによって実現され得る。バス８２４は、処理システム８１４の個々の用途および全体としての設計の制約事項に応じて、任意の数の相互接続バスおよびブリッジを含み得る。バス８２４は、プロセッサ８０４、コンポーネント７０４、７０６、７０８、およびコンピュータ読取可能媒体／メモリ８０６によって代表される１つ以上のプロセッサおよび／またはハードウェアコンポーネントを含む種々の回路を互いに接続する。バス８２４は、タイミングソース、周辺機器、電圧調整装置、および電力管理回路など、種々の他の回路も接続し得、それは、技術的に周知であり、したがってこれ以上は説明されない。
【００５４】
[0062]処理システム８１４は、トランシーバ８１０へと接続され得る。トランシーバ８１０は、１つ以上のアンテナ８２０へと接続される。トランシーバ８１０は、伝送媒体を介して種々の他の装置と通信するための手段を提供する。トランシーバ８１０は、１つ以上のアンテナ８２０から信号を受信し、受信した信号から情報を抽出し、抽出した情報を処理システム８１４へともたらし、とくには受信コンポーネント７０４へともたらす。加えて、トランシーバ８１０は、処理システム８１４から情報を受け取り、とくには送信コンポーネント７０８から情報を受け取り、受け取った情報に基づいて、１つ以上のアンテナ８２０へと加えられる信号を生成する。処理システム８１４は、コンピュータ読取可能媒体／メモリ８０６へと接続されたプロセッサ８０４を含む。プロセッサ８０４は、コンピュータ読取可能媒体／メモリ８０６に保存されたソフトウェアの実行を含む全体的な処理を担当する。ソフトウェアは、プロセッサ８０４によって実行されたときに、任意の特定の装置に関して上述した種々の機能を処理システム８１４に実行させる。コンピュータによって読み取り可能な媒体／メモリ８０６は、ソフトウェアの実行時にプロセッサ８０４によって操作されるデータを格納するためにも使用され得る。処理システムは、コンポーネント７０４、７０６、７０８のうちの少なくとも１つをさらに含む。コンポーネントは、コンピュータ読取可能媒体／メモリ８０６に位置し／格納され、プロセッサ８０４において動作するソフトウェアコンポーネント、プロセッサ８０４へと接続された１つ以上のハードウェアコンポーネント、あるいはこれらの組み合わせであり得る。
【００５５】
[0063]１つの構成では、ワイヤレス通信のための装置７０２／７０２’は、ＵＥへとメッセージを送信するための手段を含む。メッセージは、ダウンリンク伝送のための第１の専用リソースを示し得、第１の専用リソースは、ＵＥへのスケジュールされたダウンリンク伝送に関連づけられ得る。装置は、ダウンリンク伝送のための第１の専用リソースに基づくアップリンク伝送のための第２の専用リソースにおいてＵＥから情報メッセージを受信するための手段を含み得る。情報メッセージは、情報メッセージが受信される前にスケジュールされたスケジュールされたダウンリンク伝送を送信するために使用され得る。装置は、ＵＥから情報メッセージを受信した後に、スケジュールされたダウンリンク伝送を送信するための手段を含み得、送信は、受信された情報メッセージに基づき得る。一態様では、情報メッセージは、絶対値または補正係数を含み得、絶対値または補正係数は、ＣＱＩ、送信電力、またはＭＣＳインデックスのうちの１つに関連づけられ得る。別の構成では、送信するための手段は、受信された情報メッセージに基づいて、スケジュールされたダウンリンク伝送のための送信電力を調整するように構成され得る。別の構成では、送信するための手段は、受信された情報メッセージに基づいて、スケジュールされたダウンリンク伝送のためのＭＣＳを選択するように構成され得る。別の態様では、情報メッセージは、非周期的にＵＥから受信され得る。別の態様では、ダウンリンク伝送のための第１の専用リソースを示すメッセージは、ＵＥへのフィードバックの要求であり得る。フィードバックは、フィードバックの要求が送信されるよりも前にスケジュールされたスケジュールされたダウンリンク送信の送信パラメータを調整するために使用され得る。上述の手段は、上述の手段によって言及される機能を実行するように構成された装置７０２および／または装置７０２’の処理システム８１４の上述のコンポーネントのうちの１つ以上であり得る。
【００５６】
[0064]上記開示のプロセス／フロー図における各ブロックの特定の順序または階層は、典型的な手法の例示であると理解される。設計の優先事項に基づき、プロセス／フロー図における各ブロックの特定の順序または階層は、並べ替えられ得ると理解される。さらに、いくつかのブロックは、組み合わせられ、あるいは省略され得る。添付の方法に関する請求項は、種々のブロックの構成要素を見本の順序にて提示しており、提示された具体的な順序または階層への限定を意味するものではない。
【００５７】
[0065]以上の説明は、本明細書に記載の種々の態様を当業者にとって実施可能にするために提示されている。これらの態様への種々の変更が、当業者にとって容易に明らかであると考えられ、本明細書に定められる包括的な原理は、他の態様にも適用され得る。したがって、特許請求の範囲は、本明細書に示した態様に限定されるようには意図されてはおらず、請求項の表現に矛盾しない最大限の範囲が与えられるべきであり、ここにおいて、或る構成要素への単数形での言及は、とくに指定されない限り「ただ１つ」を意味することを意図されておらず、むしろ「１つ以上」を意味することを意図している。用語「典型的」は、本明細書において、「例、事例、または例示として役立つ」を意味して用いられている。本明細書において「典型的」とされるいかなる態様も、必ずしも他の態様と比べて好ましい、または有利であると解釈されるべきではない。とくに述べられない限り、用語「いくつか」は、１つ以上を指す。「Ａ、Ｂ、またはＣの少なくとも１つ」、「Ａ、Ｂ、およびＣの少なくとも１つ」、ならびに「Ａ、Ｂ、Ｃ、またはこれらの任意の組み合わせ」などの組み合わせは、Ａ、Ｂ、および／またはＣの任意の組み合わせを含み、複数のＡ、複数のＢ、または複数のＣを含み得る。具体的には、「Ａ、Ｂ、またはＣの少なくとも１つ」、「Ａ、Ｂ、およびＣの少なくとも１つ」、ならびに「Ａ、Ｂ、Ｃ、またはこれらの任意の組み合わせ」などの組み合わせは、Ａだけ、Ｂだけ、Ｃだけ、ＡとＢ、ＡとＣ、ＢとＣ、またはＡとＢとＣであり得、あらゆるこのような組み合わせは、Ａ、Ｂ、またはＣの１つ以上の構成員を含み得る。本開示の各所において説明された種々の態様の構成要素について、当業者にとって公知であり、あるいは後に知られることになるすべての構造的および機能的な同等物は、ここでの言及によって本明細書に明示的に援用され、特許請求の範囲によって包含されるように意図される。さらに、本明細書に開示の何ものも、このような開示が特許請求の範囲に明示的に記載されるか否かにかかわらず、公衆に開放されるようには意図されていない。請求項のいかなる構成要素も、構成要素が「ための手段（ｍｅａｎｓ  ｆｏｒ）」という表現を使用して明示的に記載されない限り、ミーンズ・プラス・ファンクション（ｍｅａｎｓ  ｐｌｕｓ  ｆｕｎｃｔｉｏｎ）として解釈されてはならない。
【図１】
2019057935.tif 000003
【図２Ａ】
2019057935.tif 000004
【図２Ｂ】
2019057935.tif 000005
【図３】
2019057935.tif 000006
【図４】
2019057935.tif 000007
【図５】
2019057935.tif 000008
【図６】
2019057935.tif 000009
【図７】
2019057935.tif 000010
【図８】
2019057935.tif 000011
【手続補正書】
【提出日】平成30年12月14日(2018.12.14)
【手続補正１】
【補正対象書類名】特許請求の範囲
【補正対象項目名】全文
【補正方法】変更
【補正の内容】
【特許請求の範囲】
【請求項１】
基地局によるワイヤレス通信の方法であって、
ユーザ機器（ＵＥ）へとメッセージを送信することと、ここにおいて、前記メッセージは、ダウンリンク伝送のための第１の専用リソースを示し、前記第１の専用リソースは、前記ＵＥへのスケジュールされたダウンリンク伝送に関連づけられる、
ダウンリンク伝送のための前記第１の専用リソースに基づくアップリンク伝送のための第２の専用リソースにおいて前記ＵＥから情報メッセージを受信することと、ここにおいて、前記情報メッセージは、前記情報メッセージの受信よりも前にスケジュールされた前記スケジュールされたダウンリンク伝送の送信に使用される、
前記ＵＥからの前記情報メッセージの受信後に前記スケジュールされたダウンリンク伝送を送信することと、ここにおいて、前記送信することは、前記受信された情報メッセージに基づく、
を備える方法。
【請求項２】
前記情報メッセージは、絶対値または補正係数を含み、ここにおいて、前記絶対値または前記補正係数は、チャネル品質インデックス（ＣＱＩ）、送信電力、または変調および符号化方式（ＭＣＳ）インデックスのうちの１つに関連づけられる、請求項１に記載の方法。
【請求項３】
前記送信することは、前記受信された情報メッセージに基づいて前記スケジュールされたダウンリンク伝送のための送信電力を調整することを備える、請求項１に記載の方法。
【請求項４】
前記送信することは、前記受信された情報メッセージに基づいて前記スケジュールされたダウンリンク伝送のための変調および符号化方式（ＭＣＳ）を選択することを備える、請求項１に記載の方法。
【請求項５】
前記情報メッセージは、前記ＵＥから非周期的に受信される、請求項１に記載の方法。
【請求項６】
ダウンリンク伝送のための前記第１の専用リソースを示す前記メッセージは、前記ＵＥに対するフィードバックの要求であり、ここにおいて、前記フィードバックは、前記フィードバックの要求の送信よりも前にスケジュールされた前記スケジュールされたダウンリンク伝送の送信パラメータを調整するために使用される、請求項１に記載の方法。
【請求項７】
ワイヤレス通信のための装置であって、
メモリと、
前記メモリに結合された少なくとも１つのプロセッサであって、
ユーザ機器（ＵＥ）へとメッセージを送信することと、ここにおいて、前記メッセージは、ダウンリンク伝送のための第１の専用リソースを示し、前記第１の専用リソースは、前記ＵＥへのスケジュールされたダウンリンク伝送に関連づけられる、
ダウンリンク伝送のための前記第１の専用リソースに基づくアップリンク伝送のための第２の専用リソースにおいて前記ＵＥから情報メッセージを受信することと、ここにおいて、前記情報メッセージは、前記情報メッセージの受信よりも前にスケジュールされた前記スケジュールされたダウンリンク伝送の送信に使用される、
前記ＵＥからの前記情報メッセージの受信後に前記スケジュールされたダウンリンク伝送を送信することと、ここにおいて、前記送信することは、前記受信された情報メッセージに基づく、
を行うように構成された少なくとも１つのプロセッサと、
を備える装置。
【請求項８】
前記情報メッセージは、絶対値または補正係数を含み、ここにおいて、前記絶対値または前記補正係数は、チャネル品質インデックス（ＣＱＩ）、送信電力、または変調および符号化方式（ＭＣＳ）インデックスのうちの１つに関連づけられる、請求項７に記載の装置。
【請求項９】
前記少なくとも１つのプロセッサは、前記受信された情報メッセージに基づいて前記スケジュールされたダウンリンク伝送のための送信電力を調整することによって送信を行うように構成される、請求項７に記載の装置。
【請求項１０】
前記少なくとも１つのプロセッサは、前記受信された情報メッセージに基づいて前記スケジュールされたダウンリンク伝送のための変調および符号化方式（ＭＣＳ）を選択することによって送信を行うように構成される、請求項７に記載の装置。
【請求項１１】
前記情報メッセージは、前記ＵＥから非周期的に受信される、請求項７に記載の装置。
【請求項１２】
ダウンリンク伝送のための前記第１の専用リソースを示す前記メッセージは、前記ＵＥに対するフィードバックの要求であり、ここにおいて、前記フィードバックは、前記フィードバックの要求の送信よりも前にスケジュールされた前記スケジュールされたダウンリンク伝送の送信パラメータを調整するために使用される、請求項７に記載の装置。
【手続補正２】
【補正対象書類名】明細書
【補正対象項目名】００５７
【補正方法】変更
【補正の内容】
【００５７】
[0065]以上の説明は、本明細書に記載の種々の態様を当業者にとって実施可能にするために提示されている。これらの態様への種々の変更が、当業者にとって容易に明らかであると考えられ、本明細書に定められる包括的な原理は、他の態様にも適用され得る。したがって、特許請求の範囲は、本明細書に示した態様に限定されるようには意図されてはおらず、請求項の表現に矛盾しない最大限の範囲が与えられるべきであり、ここにおいて、或る構成要素への単数形での言及は、とくに指定されない限り「ただ１つ」を意味することを意図されておらず、むしろ「１つ以上」を意味することを意図している。用語「典型的」は、本明細書において、「例、事例、または例示として役立つ」を意味して用いられている。本明細書において「典型的」とされるいかなる態様も、必ずしも他の態様と比べて好ましい、または有利であると解釈されるべきではない。とくに述べられない限り、用語「いくつか」は、１つ以上を指す。「Ａ、Ｂ、またはＣの少なくとも１つ」、「Ａ、Ｂ、およびＣの少なくとも１つ」、ならびに「Ａ、Ｂ、Ｃ、またはこれらの任意の組み合わせ」などの組み合わせは、Ａ、Ｂ、および／またはＣの任意の組み合わせを含み、複数のＡ、複数のＢ、または複数のＣを含み得る。具体的には、「Ａ、Ｂ、またはＣの少なくとも１つ」、「Ａ、Ｂ、およびＣの少なくとも１つ」、ならびに「Ａ、Ｂ、Ｃ、またはこれらの任意の組み合わせ」などの組み合わせは、Ａだけ、Ｂだけ、Ｃだけ、ＡとＢ、ＡとＣ、ＢとＣ、またはＡとＢとＣであり得、あらゆるこのような組み合わせは、Ａ、Ｂ、またはＣの１つ以上の構成員を含み得る。本開示の各所において説明された種々の態様の構成要素について、当業者にとって公知であり、あるいは後に知られることになるすべての構造的および機能的な同等物は、ここでの言及によって本明細書に明示的に援用され、特許請求の範囲によって包含されるように意図される。さらに、本明細書に開示の何ものも、このような開示が特許請求の範囲に明示的に記載されるか否かにかかわらず、公衆に開放されるようには意図されていない。請求項のいかなる構成要素も、構成要素が「ための手段（ｍｅａｎｓ  ｆｏｒ）」という表現を使用して明示的に記載されない限り、ミーンズ・プラス・ファンクション（ｍｅａｎｓ  ｐｌｕｓ  ｆｕｎｃｔｉｏｎ）として解釈されてはならない。
以下に本願の出願当初の特許請求の範囲に記載された発明を付記する。
［Ｃ１］
ユーザ機器（ＵＥ）によるワイヤレス通信の方法であって、
基地局からメッセージを受信することと、ここにおいて、前記メッセージは、ダウンリンク伝送のための第１の専用リソースを示し、前記第１の専用リソースは、前記基地局からのスケジュールされたダウンリンク伝送に関連づけられる、
前記メッセージに示されるダウンリンク伝送のための前記第１の専用リソースに基づいて、アップリンク伝送のための第２の専用リソースを決定することと、ここにおいて、アップリンク伝送のための前記第２の専用リソースは、前記スケジュールされたダウンリンク伝送に関連づけられる、
前記スケジュールされたダウンリンク伝送を送信するために前記基地局によって使用されるべき情報メッセージを前記第２の専用リソースにおいて送信するか否かを決定することと、
を備える方法。
［Ｃ２］
前記情報メッセージを送信するか否かを決定することは、
前記基地局が前記メッセージに関連する前記スケジュールされたダウンリンク伝送を送信する前に前記ＵＥと前記基地局との間のチャネル状態を測定することであって、前記測定は、ダウンリンク伝送のための前記第１の専用リソースを示す前記メッセージの前記受信に基づいてトリガされる、測定することと、
前記基地局によって使用される現在の変調および符号化方式（ＭＣＳ）をデコード可能であると前記ＵＥが予想し、
前記基地局によって使用される送信電力が閾値を超えて減少させられる場合に前記基地局によって使用される前記現在のＭＣＳをデコード可能であると前記ＵＥが予想せず、
より大きなＭＣＳをデコードすると前記ＵＥが予想しない場合、
前記基地局への前記情報メッセージの送信を控えることと、
を備える、Ｃ１に記載の方法。
［Ｃ３］
前記基地局が前記スケジュールされたダウンリンク伝送を送信する前に前記第２の専用リソースにて前記基地局へと前記情報メッセージを送信すること、
をさらに備える、Ｃ１に記載の方法。
［Ｃ４］
前記情報メッセージは、送信電力または送信電力補正係数を含み、前記送信電力または前記送信電力補正係数は、前記ＵＥと前記基地局との間のチャネル状態に基づく、Ｃ３に記載の方法。
［Ｃ５］
前記情報メッセージは、変調および符号化方式（ＭＣＳ）インデックスまたはＭＣＳインデックス補正係数を含み、前記ＭＣＳインデックスまたは前記ＭＣＳインデックス補正係数は、前記ＵＥと前記基地局との間のチャネル状態に基づく、Ｃ３に記載の方法。
［Ｃ６］
前記情報メッセージは、チャネル品質インデックス（ＣＱＩ）または既知のＣＱＩに関するＣＱＩ補正係数を含むチャネル測定報告を含み、前記ＣＱＩまたは前記ＣＱＩ補正係数は、前記ＵＥと前記基地局との間のチャネル状態に基づく、Ｃ３に記載の方法。
［Ｃ７］
前記情報メッセージは、基準信号を含む、Ｃ３に記載の方法。
［Ｃ８］
前記基地局から前記スケジュールされたダウンリンク伝送を受信すること、をさらに備え、ここにおいて、前記スケジュールされたダウンリンク伝送は、前記第２の専用リソースを使用して前記基地局へと送信された前記情報メッセージに基づいて受信され、あるいは以前に送信された情報メッセージに基づいて受信される、Ｃ３に記載の方法。
［Ｃ９］
前記情報メッセージは、非周期的に送信される、Ｃ３に記載の方法。
［Ｃ１０］
ワイヤレス通信のための装置であって、前記装置はユーザ機器（ＵＥ）であり、
メモリと、
前記メモリに結合された少なくとも１つのプロセッサであって、
基地局からメッセージを受信することと、ここにおいて、前記メッセージは、ダウンリンク伝送のための第１の専用リソースを示し、前記第１の専用リソースは、前記基地局からのスケジュールされたダウンリンク伝送に関連づけられる、
前記メッセージに示されるダウンリンク伝送のための前記第１の専用リソースに基づいて、アップリンク伝送のための第２の専用リソースを決定することと、ここにおいて、アップリンク伝送のための前記第２の専用リソースは、前記スケジュールされたダウンリンク伝送に関連づけられる、
前記スケジュールされたダウンリンク伝送を送信するために前記基地局によって使用されるべき情報メッセージを前記第２の専用リソースにおいて送信するか否かを決定することと、
を行うように構成された少なくとも１つのプロセッサと、
を備える装置。
［Ｃ１１］
前記少なくとも１つのプロセッサは、前記情報メッセージを送信するか否かを、
前記基地局が前記メッセージに関連する前記スケジュールされたダウンリンク伝送を送信する前に前記ＵＥと前記基地局との間のチャネル状態を測定することであって、前記測定は、ダウンリンク伝送のための前記第１の専用リソースを示す前記メッセージの前記受信に基づいてトリガされる、測定することと、
前記基地局によって使用される現在の変調および符号化方式（ＭＣＳ）をデコード可能であると前記ＵＥが予想し、
前記基地局によって使用される送信電力が閾値を超えて減少させられる場合に前記基地局によって使用される前記現在のＭＣＳをデコード可能であると前記ＵＥが予想せず、    より大きなＭＣＳをデコードすると前記ＵＥが予想しない場合に、
前記基地局への前記情報メッセージの送信を控えることと、
によって決定するように構成されている、Ｃ１０に記載の装置。
［Ｃ１２］
前記少なくとも１つのプロセッサは、前記基地局が前記スケジュールされたダウンリンク伝送を送信する前に前記第２の専用リソースにて前記基地局へと前記情報メッセージを送信するようにさらに構成される、Ｃ１０に記載の装置。
［Ｃ１３］
前記情報メッセージは、送信電力または送信電力補正係数を含み、前記送信電力または前記送信電力補正係数は、前記ＵＥと前記基地局との間のチャネル状態に基づく、Ｃ１２に記載の装置。
［Ｃ１４］
前記情報メッセージは、変調および符号化方式（ＭＣＳ）インデックスまたはＭＣＳインデックス補正係数を含み、前記ＭＣＳインデックスまたは前記ＭＣＳインデックス補正係数は、前記ＵＥと前記基地局との間のチャネル状態に基づく、Ｃ１２に記載の装置。
［Ｃ１５］
前記情報メッセージは、チャネル品質インデックス（ＣＱＩ）または既知のＣＱＩに関するＣＱＩ補正係数を含むチャネル測定報告を含み、前記ＣＱＩまたは前記ＣＱＩ補正係数は、前記ＵＥと前記基地局との間のチャネル状態に基づく、Ｃ１２に記載の装置。
［Ｃ１６］
前記情報メッセージは、基準信号を含む、Ｃ１２に記載の装置。
［Ｃ１７］
前記少なくとも１つのプロセッサは、前記基地局から前記スケジュールされたダウンリンク伝送を受信するようにさらに構成され、ここにおいて、前記スケジュールされたダウンリンク伝送は、前記第２の専用リソースを使用して前記基地局へと送信された前記情報メッセージに基づいて受信され、あるいは以前に送信された情報メッセージに基づいて受信される、Ｃ１２に記載の装置。
［Ｃ１８］
前記情報メッセージは、非周期的に送信される、Ｃ１２に記載の装置。
［Ｃ１９］
基地局によるワイヤレス通信の方法であって、
ユーザ機器（ＵＥ）へとメッセージを送信することと、ここにおいて、前記メッセージは、ダウンリンク伝送のための第１の専用リソースを示し、前記第１の専用リソースは、前記ＵＥへのスケジュールされたダウンリンク伝送に関連づけられる、
ダウンリンク伝送のための前記第１の専用リソースに基づくアップリンク伝送のための第２の専用リソースにおいて前記ＵＥから情報メッセージを受信することと、ここにおいて、前記情報メッセージは、前記情報メッセージの受信よりも前にスケジュールされた前記スケジュールされたダウンリンク伝送の送信に使用される、
前記ＵＥからの前記情報メッセージの受信後に前記スケジュールされたダウンリンク伝送を送信することと、ここにおいて、前記送信することは、前記受信された情報メッセージに基づく、
を備える方法。
［Ｃ２０］
前記情報メッセージは、絶対値または補正係数を含み、ここにおいて、前記絶対値または前記補正係数は、チャネル品質インデックス（ＣＱＩ）、送信電力、または変調および符号化方式（ＭＣＳ）インデックスのうちの１つに関連づけられる、Ｃ１９に記載の方法。
［Ｃ２１］
前記送信することは、前記受信された情報メッセージに基づいて前記スケジュールされたダウンリンク伝送のための送信電力を調整することを備える、Ｃ１９に記載の方法。
［Ｃ２２］
前記送信することは、前記受信された情報メッセージに基づいて前記スケジュールされたダウンリンク伝送のための変調および符号化方式（ＭＣＳ）を選択することを備える、Ｃ１９に記載の方法。
［Ｃ２３］
前記情報メッセージは、前記ＵＥから非周期的に受信される、Ｃ１９に記載の方法。
［Ｃ２４］
ダウンリンク伝送のための前記第１の専用リソースを示す前記メッセージは、前記ＵＥに対するフィードバックの要求であり、ここにおいて、前記フィードバックは、前記フィードバックの要求の送信よりも前にスケジュールされた前記スケジュールされたダウンリンク伝送の送信パラメータを調整するために使用される、Ｃ１９に記載の方法。
［Ｃ２５］
ワイヤレス通信のための装置であって、
メモリと、
前記メモリに結合された少なくとも１つのプロセッサであって、
ユーザ機器（ＵＥ）へとメッセージを送信することと、ここにおいて、前記メッセージは、ダウンリンク伝送のための第１の専用リソースを示し、前記第１の専用リソースは、前記ＵＥへのスケジュールされたダウンリンク伝送に関連づけられる、
ダウンリンク伝送のための前記第１の専用リソースに基づくアップリンク伝送のための第２の専用リソースにおいて前記ＵＥから情報メッセージを受信することと、ここにおいて、前記情報メッセージは、前記情報メッセージの受信よりも前にスケジュールされた前記スケジュールされたダウンリンク伝送の送信に使用される、
前記ＵＥからの前記情報メッセージの受信後に前記スケジュールされたダウンリンク伝送を送信することと、ここにおいて、前記送信することは、前記受信された情報メッセージに基づく、
を行うように構成された少なくとも１つのプロセッサと、
を備える装置。
［Ｃ２６］
前記情報メッセージは、絶対値または補正係数を含み、ここにおいて、前記絶対値または前記補正係数は、チャネル品質インデックス（ＣＱＩ）、送信電力、または変調および符号化方式（ＭＣＳ）インデックスのうちの１つに関連づけられる、Ｃ２５に記載の装置。
［Ｃ２７］
前記少なくとも１つのプロセッサは、前記受信された情報メッセージに基づいて前記スケジュールされたダウンリンク伝送のための送信電力を調整することによって送信を行うように構成される、Ｃ２５に記載の装置。
［Ｃ２８］
前記少なくとも１つのプロセッサは、前記受信された情報メッセージに基づいて前記スケジュールされたダウンリンク伝送のための変調および符号化方式（ＭＣＳ）を選択することによって送信を行うように構成される、Ｃ２５に記載の装置。
［Ｃ２９］
前記情報メッセージは、前記ＵＥから非周期的に受信される、Ｃ２５に記載の装置。
［Ｃ３０］
ダウンリンク伝送のための前記第１の専用リソースを示す前記メッセージは、前記ＵＥに対するフィードバックの要求であり、ここにおいて、前記フィードバックは、前記フィードバックの要求の送信よりも前にスケジュールされた前記スケジュールされたダウンリンク伝送の送信パラメータを調整するために使用される、Ｃ２５に記載の装置。